(57)【要約】【課題】高い導電性を有しかつ繊維表面における該導電性の斑のない、さらには湿度が変化する際の導電性の安定性に非常に優れた導電性を具備する脂肪族ポリエステル繊維と、該繊維を用いてなる衣料、敷物、ブラシなどの脂肪族ポリエステル繊維製品を提供する。【解決手段】導電剤を含有する脂肪族ポリエステルと芳香族ポリエステルとを含んでなるとともに、平均抵抗率Ｐが１．０×１０１２［Ω／ｃｍ］以下であることを特徴とする脂肪族ポリエステル繊維。【選択図】図１
2008031567.tif 000002
【特許請求の範囲】
【請求項１】
導電剤を含有する脂肪族ポリエステルと芳香族ポリエステルとを含んでなるとともに、平均抵抗率Ｐが１．０×１０１２［Ω／ｃｍ］以下であることを特徴とする脂肪族ポリエステル繊維。
【請求項２】
脂肪族ポリエステルが乳酸を主たる繰り返し構造単位とすることを特徴とする請求項１記載の脂肪族ポリエステル繊維。
【請求項３】
初期引張弾性率が１５ｃＮ／ｄｔｅｘ〜８０ｃＮ／ｄｔｅｘであることを特徴とする請求項１または２記載の脂肪族ポリエステル繊維。
【請求項４】
平均抵抗率Ｐと抵抗率の標準偏差Ｑとの比Ｒ（Ｒ＝Ｑ／Ｐ）が０．５以下であることを特徴とする請求項１〜３のいずれか１項記載の脂肪族ポリエステル繊維。
【請求項５】
繊維の、２３℃湿度５５％での平均抵抗率Ｘ［Ω／ｃｍ］と、１０℃湿度１５％での平均抵抗率Ｙ［Ω／ｃｍ］との比Ｚ（Ｚ＝Ｙ／Ｘ）が１〜５の範囲であることを特徴とする請求項１〜４のいずれか１項記載の脂肪族ポリエステル繊維。
【請求項６】
請求項１〜５のいずれか１項記載の脂肪族ポリエステル繊維を少なくとも一部に用いてなることを特徴とする脂肪族ポリエステル繊維製品。
【請求項７】
請求項１〜５のいずれか１項記載の脂肪族ポリエステル繊維を少なくとも一部に用いてなることを特徴とする脂肪族ポリエステル繊維ブラシ。
【発明の詳細な説明】
【技術分野】
【０００１】
本発明は導電性に優れた脂肪族ポリエステル繊維およびそれからなる繊維製品に関するものである。さらに詳しくは、湿度が変化する際の導電性の安定性に非常に優れた導電性を具備する脂肪族ポリエステル繊維、および該繊維を用いてなる衣料や敷物、あるいはブラシなどの脂肪族ポリエステル繊維製品に関するものである。
【背景技術】
【０００２】
主たる繰り返し構造単位が脂肪族ポリエステルからなる繊維は、従来の石油系原料からなる芳香族ポリエステル（例えばポリエチレンテレフタレートやポリブチレンテレフタレートなど）に比べて、一般的に、それ自身が天然物由来の原料（モノマー）からなり生分解性に優れることから、近年、地球環境保護の点から注目され、急速に開発が進められている。
【０００３】
ところで、従来の、そしてこれからの繊維の機能性付与においては、「導電性」は重要な機能の１つであり、例えばクリーンルーム用の衣料用繊維として、あるいはカーペットへの混繊用繊維として静電気を除去するものであったり、またあるいは装置の中で電荷を付与するものであったりと、衣料用、産業用など幅広い分野において大きな需要が存在する。近年では、電子情報機器、特に携帯電話などの無線端末の普及により日常的な環境においても電磁波の暴露量が増加しており、健康への影響が懸念されていることから、導電性以外にも、電磁波遮蔽素材として利用する事例も増えている。
【０００４】
例えば、制電剤としてポリ乳酸とポリアルキレンエーテルのブロック共重合体を用いた制電性繊維に関する技術が提案されている（例えば、特許文献１参照）。該技術においては、確かに制電性に優れる繊維が得られるものの、共重合成分としてポリエチレングリコールを用いることから、その導電レベルはどんなに高くともせいぜい１０８［Ω・ｃｍ］程度であって高い導電性を示すものではなく、また、制電剤は水分の有無により導電性が変化するものであることから、結果として該技術により得られた繊維は、高い導電性、あるいはあらゆる雰囲気（湿度変化）においても安定した導電性、などが確保されるものではなかった。
【０００５】
また、導電性繊維の構成成分として、従来から用いられるポリエチレンテレフタレート（ＰＥＴ）やポリブチレンテレフタレート（ＰＢＴ）を採用した導電性繊維に関する技術が提案されている（例えば、特許文献２参照）。該技術においては、ＰＥＴやＰＢＴに導電性微粒子を含有せしめ、高固有粘度を有するＰＥＴを芯成分とする芯鞘複合繊維として高速紡糸を行うことで確かに強伸度特性に優れた繊維が得られるものの、従来から知られているように、ＰＥＴやＰＢＴは高濃度で導電性微粒子を含有せしめて溶融紡糸を行うのが非常に困難であって、たとえ高固有粘度のＰＥＴを芯成分に用いて複合紡糸を行ったとしても、高い導電性を有する導電性繊維が得られるものではなかった。
【０００６】
一方で、脂肪族ポリエステルを主成分とする繊維形成性ポリマーと、導電性粒子と脂肪族ポリエステルを主成分とする重合体とが混合されてなる導電性ポリマーとが単繊維内で複合されてなる導電性繊維に関する技術が提案されている（例えば、特許文献３参照）。該技術においては、単繊維内で導電性粒子を含む脂肪族ポリエステルと導電性粒子を含まない脂肪族ポリエステルとが複合されてなることで確かに導電性を有し、また、製造においても製糸性が優れているものの、一方で該技術により得られた繊維は、脂肪族ポリエステルの優れた生分解性を活用することに主眼が置かれ、脂肪族ポリエステルのみを用いてなるために、高温雰囲気下では形態を保ったとしても、強度などの糸物性が格段に劣化してしまい、用途が限られるものであったし、繊維物性においても剛性が中途半端であるために、清掃において高い剛性を必要とするブラシ用途や、反対に柔軟性を必要とする用途においてはあまり用いられるものではなかった。また当然ながら高い剛性や低い剛性を意識した特定の用途の開示や用途を目指した繊維設計の指針や思想もなかった。
【特許文献１】特開平８−２５３６６５号公報（特許請求の範囲、段落番号［０００８］，［００１３］，［００１４］など）
【特許文献２】特開昭６３−８５１１４号公報（特許請求の範囲）
【特許文献３】特開平９−１５７９５３号公報（特許請求の範囲、段落番号［００２５］）
【発明の開示】
【発明が解決しようとする課題】
【０００７】
本発明の課題は、上記従来技術の問題点を解消し、導電性が温度・湿度変化に依存せず高い導電性を有し、かつ高温雰囲気下での形態安定性および用途に応じた剛性を有する脂肪族ポリエステル繊維、および該脂肪族ポリエステル繊維を用いてなる様々な脂肪族ポリエステル繊維製品を提供することにある。
【課題を解決するための手段】
【０００８】
本発明は、優れた導電性と耐候性を有する繊維を得るために鋭意検討を重ね、その中で特定の組成からなる繊維となし、かつ特定の物性となすことにより上記従来技術の欠点を解消でき、かつ従来技術では達成しえなかった更なるメリットをも付与しうることを見いだし、本発明に到達したものである。
【０００９】
本発明は、上記の課題を解決するため、以下の構成を採用する。すなわち、
（１）導電剤を含有する脂肪族ポリエステルと芳香族ポリエステルとを含んでなるとともに、平均抵抗率Ｐが１．０×１０１２［Ω／ｃｍ］以下であることを特徴とする脂肪族ポリエステル繊維。
【００１０】
（２）脂肪族ポリエステルが乳酸を主たる繰り返し構造単位とすることを特徴とする前記（１）に記載の脂肪族ポリエステル繊維。
【００１１】
（３）初期引張弾性率が１５ｃＮ／ｄｔｅｘ〜８０ｃＮ／ｄｔｅｘであることを特徴とする前記（１）または（２）に記載の脂肪族ポリエステル繊維。
【００１２】
（４）平均抵抗率Ｐと抵抗率の標準偏差Ｑとの比Ｒ（Ｒ＝Ｑ／Ｐ）が０．５以下であることを特徴とする前記（１）〜（３）のいずれか１項記載の脂肪族ポリエステル繊維。
【００１３】
（５）繊維の、２３℃湿度５５％での平均抵抗率Ｘ［Ω／ｃｍ］と、１０℃湿度１５％での平均抵抗率Ｙ［Ω／ｃｍ］との比Ｚ（Ｚ＝Ｙ／Ｘ）が１〜５の範囲であることを特徴とする（１）〜（４）のいずれか１項記載の脂肪族ポリエステル繊維。
【００１４】
（６）前記（１）〜（５）のいずれか１項記載の脂肪族ポリエステル繊維を少なくとも一部に用いてなることを特徴とする脂肪族ポリエステル繊維製品。
【００１５】
（７）前記（１）〜（５）のいずれか１項記載の脂肪族ポリエステル繊維を少なくとも一部に用いてなることを特徴とする脂肪族ポリエステル繊維ブラシ。
【発明の効果】
【００１６】
本発明の繊維は、高い導電性を有するための高濃度の導電剤を含有する脂肪族ポリエステルが、脂肪族のポリエステルであることから、従来のポリエステル、例えばエチレンテレフタレートを主たる繰り返し構造単位とするＰＥＴ系ポリマーや、ブチレンテレフタレートを主たる繰り返し構造単位とするＰＢＴ系ポリマーなどとは大きく異なり、高濃度で導電剤を含有していても繊維を形成することが可能であり、これまで困難であった高い導電性を有する繊維となり、防塵衣等の衣料用途や、車両内装材、建造物の壁材などの内装材、カーペットや床材など敷物などの非衣料用途に用いることができ優れている。加えてポリエステルであることから、吸水性あるいは吸湿性がほとんど無く、結果として導電性の湿度依存性が小さいため導電性が非常に安定する。これらのことから、高い導電性および環境変化における導電性の安定性が必要とされる用途、例えば後述するような常時あるいは頻繁に電圧を印可して用いられる電気を用いる配線物や電子写真装置中の各種ブラシローラーなどに好適に採用される。
【００１７】
また、本発明の繊維は、芳香族ポリエステルを含んでなる構成とすることによって、高温での繊維あるいは繊維を用いてなる繊維製品の形態安定性が優れるため、脂肪族ポリエステルのみからなる繊維と比べて様々な用途に用いることが可能となるほか、芳香族ポリエステルの種類を選択することにより、繊維に所望の剛性（初期引張弾性率）を付与することが可能となるため、従来の脂肪族ポリエステルのみからなる導電性を有する繊維に比べ、同等の導電性能を有しつつも取り扱い性に優れるという優れた効果を奏し、用途が格段に広がる。
【発明を実施するための最良の形態】
【００１８】
本発明における繊維とは細く長い形状を指し、その長さは、一般的に言われる長繊維（フィラメント）であっても短繊維（ステープル）であっても良い。短繊維の場合は用途に応じて所望の長さにすればよいが、紡績工程あるいは後述するような電気植毛加工などに用いられることを考慮すると長さ０．０５〜１５０ｍｍであることが好ましく、０．１〜１２０ｍｍであることがより好ましい。また、特に電気植毛加工に用いられる場合は０．１〜１０ｍｍの長さであることがより好ましく、０．２〜５ｍｍであることが特に好ましい。ここで短繊維の長さは、後述する実施例Ｉ．項の方法で測定される。
【００１９】
また、本発明の繊維の単糸（単繊維）繊度に関しては特に制限されるものではないが、後述するような様々な用途に採用が可能であるという点で単糸繊度は５０ｄｔｅｘ（デシテックス）以下であることが好ましく、また、０．０１ｄｔｅｘ以上であることが好ましく、さらに０．０１〜２０ｄｔｅｘであることがより好ましく、０．１〜１０ｄｔｅｘであることが特に好ましい。そして例えば後述する電子写真装置に組み込まれるブラシローラーに用いる場合で清掃装置あるいは帯電装置に組み込む用途に用いる場合には清掃性能、あるいは帯電性能が優れるという点で該単糸繊度は０．１〜８ｄｔｅｘであることが特に好ましく、０．１〜４ｄｔｅｘであることが最も好ましい。また、衣服の裏地やあるいはその他各種衣類の少なくとも一部に用いられる場合では、０．１〜６ｄｔｅｘであることが特に好ましい。衣料用途以外の、車両内装材、建造物の壁材などの内装材、カーペットや床材などの敷物といった非衣料用途の少なくとも一部に用いられる場合には、０．１〜６ｄｔｅｘであることが特に好ましい。また、繊維の断面形状についても特に制限されるものではなく、丸形であれば均一な繊維物性および繊維断面内における等方的な導電性を有するため好ましく、また、繊維をブラシローラーに用いるために短繊維あるいは織物あるいは編物あるいは不織布の形状で組み込み、使用する用途あるいは目的に応じて、例えば繊維の曲がる方向に異方性を持たせて剛性を高める、あるいは後述する電子写真装置中で用いられる場合に、トナーとの良好な接触性を得てより優れた清掃性能を発現させるという目的には、偏平型、多角形、多葉型、中空型、あるいは不定形型などが好ましい。ここで単糸繊度については、後述する実施例Ａ．項の方法にて測定することで定める。また、繊維の断面形状あるいは単繊維直径については、走査型電子顕微鏡（ＳＥＭ）で繊維外径が全て視野に入る倍率において測定することで定める。詳細には後述の実施例Ｋ．項の方法で測定する。
【００２０】
本発明の繊維は、脂肪族ポリエステルが導電剤を含有する。繊維自体の導電性はこの導電剤を含有する脂肪族ポリエステルによって決まるため、所望の導電性能を自由に制御することができ、大変優れた導電性を有する繊維となる。従来、ポリエステルであるＰＥＴ系ポリマーやＰＢＴ系ポリマーで達成できなかった「高濃度の導電剤を含有しても溶融紡糸が可能」という現象を脂肪族ポリエステルがなし得る理由については、完全に明らかとなってはいないが、１つは「脂肪族ポリエステルはＰＥＴ系ポリマーやＰＢＴ系ポリマーに比べて分子鎖間の相互作用が小さく、分子鎖間に導電剤を含有しうる隙間があって、しかも該隙間はＰＥＴ系ポリマーやＰＢＴ系ポリマーの持つ分子鎖間隙間よりも広い」こと、もう１つは「溶融紡糸する際の分子鎖の配向挙動において、分子鎖が揃うことにより分子鎖間隙間が小さくなるという現象において、脂肪族ポリエステルは、ＰＥＴ系ポリマーやＰＢＴ系ポリマーよりも、該隙間が小さくなる度合いが小さい」ことの２点がその理由ではないかと推測している。
【００２１】
また、本発明の脂肪族ポリエステル繊維の構成としては、導電剤を含有する脂肪族ポリエステル（以下、「導電剤含有ＡＰＥ」と略記することがある）と芳香族ポリエステルとを含んでなる。すなわち、本発明の繊維中、導電剤含有ＡＰＥと芳香族ポリエステルは、繊維軸方向に垂直な繊維横断面中で、（１）芳香族ポリエステルが鞘あるいは海、導電剤含有ＡＰＥが芯あるいは複数の島をなす複合繊維（ここで芯あるいは複数の島は一部または全てが繊維表面に露出していても繊維中に包含されていても良い）、（２）導電剤含有ＡＰＥが鞘あるいは海、芳香族ポリエステルが芯あるいは島をなす複合繊維（ここで芯あるいは複数の島は一部または全てが繊維表面に露出していても繊維中に包含されていても良い）、（３）上記（１），（２）の複合型（芳香族ポリエステルと導電剤含有ＡＰＥが各々鞘あるいは海、芯あるいは複数の島を形成する、のいずれかの形態をとる構造のものが好ましいが、特に制限されない。なおここで複数配置される島の数は、高々１００箇所配置されていることが好ましい。また、２箇所以上の複数箇所に島が配置されている場合には、繊維物性（曲げ剛性や引張強度、あるいは引張弾性率など）が均質になるという点で繊維軸方向に垂直な繊維横断面において繊維中心点に対して対称となるよう等しく配置されていることが好ましい。なお、この複合繊維において、他のポリマー成分の、繊維軸方向に垂直な繊維横断面における芯あるいは島の形状としては、円あるいは楕円であってもあるいは三角形や四角形、それ以上の多角形など、多種多様な形状であっても良い。三角形以上の多角形においては、通常、ポリマー自身の溶融時の挙動で角が丸みを帯びた形状となることがしばしばある。芯あるいは島が円であれば、前述繊維横断面において、曲げに対して等方的な強度（剛性）を有するが、丸以外の形状、例えば楕円や三角形においては、曲げの剛性が曲げる方向において異なるという挙動を示すことがある。特に後述するような、例えばブラシなどに用いる場合には、芯あるいは島を丸以外の三角形や四角形、それ以上の多角形の形状とすることで繊維自身の剛性を高く制御できるため、特に清掃ブラシとして非常に高性能なものとなりうる。そしてこれら導電剤含有ＡＰＥと芳香族ポリエステルの配置は、用途に応じて適宜選択されれば良いものの、繊維自体が高い導電性を維持しつつ耐摩耗性を有するには前述の（１）の形態が好ましく、また、繊維の表面電気抵抗が低い必要がある用途においては、導電剤含有ＡＰＥが芯あるいは島として少なくとも繊維表面の一部に露出する形態、あるいは前述（２）の形態が好ましい。なお、繊維表面での高い導電性能を発現しうるものとして、導電剤含有ＡＰＥが芯あるいは島として少なくとも繊維表面の一部に露出する形態が特に好ましい。また、繊維表面の耐摩耗性に優れる芳香族ポリエステルは、導電剤を含まないかあるいは本発明の繊維物性（例えば強度や残留伸度、初期引張弾性率や耐摩耗性など）を損ねない範囲において少量の導電剤を含有してもよく、さらに例えば芳香族ポリエステル自身が別の機能を担っても良くあるいは機能性成分を含有することで別の機能を担わせたものであっても良い。
【００２２】
本発明の脂肪族ポリエステル繊維での、繊維軸方向に垂直な繊維横断面における（換言すると繊維中の）導電剤を含有する脂肪族ポリエステルの割合は、目的とする用途に応じて適宜設定すればよいものの、脂肪族ポリエステルが一般的に環境に優しい素材であり、特に乳酸を主たる繰り返し構造単位とする脂肪族ポリエステルである場合は、生分解性を有する優れた環境適応素材であるため、本発明で得られる繊維も環境適応性を具備するという点で、好ましくは５体積％以上の範囲で用いることができる。そして優れた導電性を保ちつつ狙いの繊維物性（例えば強度、残留伸度、初期引張弾性率、等）を達成しうるという点で、繊維中の導電剤を含有する脂肪族ポリエステルの割合は、７体積％以上であることがより好ましく、さらに安定して生産可能であることを考慮すると１０体積％以上であることが特に好ましい。また、該導電剤を含有する脂肪族ポリエステルの割合は確かに多いほど前述の環境適応性の観点で好ましいものの、該割合の上限としては、高温耐熱性を具備しうる点で９５体積％以下であることが好ましく、９０体積％以下であることがより好ましく、さらに安定して生産可能であることを考慮すると８０体積％以下であることが特に好ましい。なお、繊維中の導電剤を含有する脂肪族ポリエステルの割合は、単繊維断面における導電剤を含有する脂肪族ポリエステル部分の、単繊維断面積に対する面積比率から求めることができ、下記実施例Ｍ．項の方法にて測定したものを採用する。
【００２３】
本発明の繊維における脂肪族ポリエステルとしては、主たる繰り返し構造単位が脂肪族エステルから構成されるポリエステルを用いることができる。「主たる繰り返し構造単位」とは脂肪族エステルが重合原料として５０モル％以上、好ましくは８０モル％以上、特に好ましくは９５モル％以上の分率で脂肪族ポリエステルを構成するものであって、（ａ）単一種の繰り返し構造単位からなる脂肪族ポリエステルのホモポリマー、（ｂ）複数種の繰り返し構造単位からなる脂肪族ポリエステル共重合ポリマー、の両方を含む。脂肪族ポリエステル共重合ポリマーには、脂肪族ポリエステル以外の他の成分、例えば芳香族ポリエステル、ポリアルキレンオキシド、ポリカーボネート、ポリアミド、ポリ尿素、ポリウレタン、ポリオルガノシロキサンなどの成分を５０モル％未満、好ましくは２０モル％未満、より好ましくは５モル％未満、共重合したものであっても良く、特に好ましくは全く共重合されていない脂肪族ポリエステル、すなわち前述の（ａ）脂肪族ポリエステルのホモポリマーである。また、共重合様式としてはブロック共重合および／またはグラフト共重合および／またはランダム共重合のいずれであっても良い。特に好ましいのは（ａ）脂肪族ポリエステルのホモポリマーである。従来、汎用的に用いられてきた芳香族ポリエステル、例えば主たる繰り返し構造単位がエチレンテレフタレートから構成されるポリエステル成分（以下ＰＥＴ系ポリマーと略記することがある）や主たる繰り返し構造単位がテトラメチレンテレフタレートから構成されるポリエステル成分（以下ＰＢＴ系ポリマーと略記することがある）は、通常、導電剤を概ね１０重量％程度かそれ以上含有させた場合には、もはや溶融紡糸中の糸切れが多発して全く引き取りができなかったのであるが、脂肪族ポリエステルは、導電剤を多量に含有させた場合であっても、繊維を形成させるためのプロセス、例えば溶融紡糸において、導電剤を含有していない通常の脂肪族ポリエステルを溶融紡糸するのと何ら変わりなく同じように溶融紡糸が達成できることを本発明者らは見出したのである。これにより、従来はポリアミド系ポリマーでは可能であった高い導電性を有する繊維の製造が、ポリエステル系ポリマーであっても同じように高濃度の導電剤を含有させ、高い導電性を有する繊維を形成することが可能となったのである。
【００２４】
本発明における脂肪族ポリエステルの具体例としては、まず（Ａ）グリコール酸、乳酸、３−ヒドロキシ酪酸、４−ヒドロキシ酪酸、４−ヒドロキシ吉草酸、６−ヒドロキシカプロン酸などのような脂肪族ヒドロキシカルボン酸や、グリコリド、ラクチド、ブチロラクトン、カプロラクトンなどの脂肪族ラクトンなど、単一のモノマーから重合されてなる、ポリグリコール酸やポリ乳酸といった脂肪族ポリエステル（ポリヒドロキシカルボン酸）が挙げられる。この（Ａ）では単一のモノマーのみ採用しても、複数種を用いても良いし、あるいは下記（Ｂ）に記載のジオールモノマーあるいはジカルボン酸モノマーを共重合しても良い。
【００２５】
また、他の脂肪族ポリエステルの具体例としては（Ｂ）エチレングリコール、プロピレングリコール、ブタンジオール、ペンタンジオール、ヘキサンジオール、ネオペンチルグリコールなどのような脂肪族ジオール、またはジエチレングリコール、トリエチレングリコール、エチルプロピルエーテルグリコール、ビスヒドロキシエチルプロパン、ビスヒドロキシプロピルブタン、ポリエチレングリコール、ポリプロピレングリコール、ポリブチレンエーテルなどのような脂肪族ポリアルキレンエーテルグリコールと、コハク酸、アジピン酸、スベリン酸、アゼライン酸、セバシン酸、デカンジカルボン酸などの脂肪族ジカルボン酸とからなる、すなわち、ジオール（グリコール）モノマーとジカルボン酸モノマーとからなる脂肪族ポリエステルが挙げられる。この（Ｂ）においても、単一のジオールモノマーと単一のジカルボン酸モノマーのみを用いてもあるいは複数種のジオールモノマーおよび／または複数種のジカルボン酸モノマーを用いても良い。また、共重合成分としては、ジヒドロキシブチルカーボネート、ジヒドロキシヘキシルカーボネート、ポリブチレンカーボネート（グリコール）、ポリヘキサンカーボネート（グリコール）、ポリオクタンカーボネート（グリコール）などの脂肪族ポリカーボネートグリコールやそれらの共重合体およびオリゴマーを用いても良い。
【００２６】
また、本発明における前述の（ａ）または（ｂ）に分類される脂肪族ポリエステルは、高濃度の導電剤を含有させても導電剤を含有していない通常の脂肪族ポリエステルとほとんど変わらず溶融紡糸が達成できるという利点を損ねない範囲であって、かつ脂肪族ポリエステルを構成する繰り返し構造単位が５０モル％未満、好ましくは２０モル％未満、より好ましくは５モル％未満の範囲において、ポリエステルを構成しうる脂肪族以外の他の成分を共重合しても良い。具体的には、芳香族系あるいは脂環族系のジカルボン酸化合物を共重合せしめることができ、例えば、テレフタル酸、イソフタル酸、ナフタレンジカルボン酸、ジフェニルジカルボン酸、アントラセンジカルボン酸、フェナントレンジカルボン酸、ジフェニルエーテルジカルボン酸、ジフェノキシエタンジカルボン酸、ジフェニルエタンジカルボン酸、１，４−シクロヘキサンジカルボン酸、５−ナトリウムスルホイソフタル酸、５−テトラブチルホスホニウムイソフタル酸、アゼライン酸、ドデカンジオン酸、ヘキサヒドロテレフタル酸、といった芳香族、脂環族ジカルボン酸およびそれらのアルキル、アルコキシ、アリル、アリール、アミノ、イミノ、ハロゲン化物などの誘導体、付加体、構造異性体および光学異性体を挙げることができ、これらジカルボン酸化合物のうち１種を単独で用いても良いし、または本発明の目的を損ねない範囲で２種以上を組み合わせて用いても良い。
【００２７】
また、本発明における前述の（ａ）または（ｂ）に分類される脂肪族ポリエステルは、芳香族系あるいは脂環族系ジオール化合物を共重合せしめることができ、該ジオール化合物として例えば、１，４−シクロヘキサンジメタノール、ハイドロキノン、レゾルシン、ジヒドロキシビフェニル、ナフタレンジオール、アントラセンジオール、フェナントレンジオール、２，２−ビス（４−ヒドロキシフェニル）プロパン、４，４´−ジヒドロキシジフェニルエーテル、ビスフェノールＳ、といった芳香族、脂環族ジオール化合物およびそれらのアルキル、アルコキシ、アリル、アリール、アミノ、イミノ、ハロゲン化物などの誘導体、付加体、構造異性体および光学異性体を挙げることができ、これらジオール化合物のうち１種を単独で用いても良いし、または本発明の目的を損ねない範囲で２種以上を組み合わせて用いても良い。
【００２８】
また、例えばその共重合成分として、芳香族系あるいは脂環族系のヒドロキシカルボン酸を挙げることができ、ヒドロキシ安息香酸、ヒドロキシナフトエ酸、ヒドロキシアントラセンカルボン酸、ヒドロキシフェナントレンカルボン酸、（ヒドロキシフェニル）ビニルカルボン酸といった芳香族系あるいは脂環族系ヒドロキシカルボン酸およびそれらのアルキル、アルコキシ、アリル、アリール、アミノ、イミノ、ハロゲン化物などの誘導体、付加体、構造異性体および光学異性体を挙げることができ、これら芳香族系あるいは脂環族系ヒドロキシカルボン酸のうち１種を単独で用いても良いし、または本発明の目的を損ねない範囲で２種以上を組み合わせて用いても良い。
【００２９】
以上のように本発明における脂肪族ポリエステルは、多種多様のものを用いることができるものの、本発明の趣旨、すなわち高濃度の導電剤を含有させても導電剤を含有していない通常の脂肪族ポリエステルとほとんど変わらず溶融紡糸が達成できる点を満たし、かつ後述するように高い融点や低い屈折率である点から、本発明における脂肪族ポリエステルとしては、乳酸、グリコール酸、３−ヒドロキシプロピオネート、３−ヒドロキシブチレート、３−ヒドロキシブチレートバリレートなどのヒドロキシカルボン酸を主たる繰り返し構造単位とする脂肪族ポリエステルが好ましく、乳酸を主たる繰り返し構造単位とする脂肪族ポリエステル（以下「ポリ乳酸」と総じて記載することがある）が特に好ましい。ポリ乳酸においては、Ｌ−乳酸を主成分とするポリ（Ｌ−乳酸）や、Ｄ−乳酸を主成分とするポリ（Ｄ−乳酸）がある。ポリ（Ｌ−乳酸）や、ポリ（Ｄ−乳酸）は、通常、それぞれ互いに少量のラセミ体を含んでいるため、例えばポリ（Ｌ−乳酸）であっても少量のＤ−乳酸を含んでいる。この場合、Ｄ−乳酸はポリ（Ｌ−乳酸）における共重合物となるため、過度のＤ−乳酸がポリ（Ｌ−乳酸）に存在すると、ポリ乳酸としての融点が低下してしまう。そこでＬ−乳酸を主成分とするポリ（Ｌ−乳酸）の場合には、繰り返し構造単位の６０モル％以上がＬ−乳酸よりなることを意味しており、４０重量％を超えない範囲でＤ−乳酸を含有するポリエステルであってもよい。このときＬ−乳酸の分率が多いほど好ましいことから、繰り返し構造単位の８０モル％以上がＬ−乳酸よりなることが好ましく、９０モル％であることが特に好ましい。また、ポリ乳酸としてはポリ（Ｌ−乳酸）とポリ（Ｄ−乳酸）の両方を含むもの（「ステレオコンプレックス」と呼称されることがある）であっても良く、この場合、ポリ（Ｌ−乳酸）とポリ（Ｄ−乳酸）の分率は特に制限されないものの、ポリ（Ｌ−乳酸）とポリ（Ｄ−乳酸）の比率が近いほどポリ乳酸自身の融点が高いことから好ましく、ポリ（Ｌ−乳酸）とポリ（Ｄ−乳酸）の比率が等しい、すなわちポリ（Ｌ−乳酸）の重量分率：ポリ（Ｄ−乳酸）の重量分率＝５０：５０であることが最も好ましい。
【００３０】
本発明における脂肪族ポリエステルは、融点が１３０℃以上であることが好ましい。後述するように、本発明の繊維は衣料や敷物、あるいはブラシといった様々な用途に用いられるのであるが、これらの用途においては、脂肪族ポリエステルの融点が１３０℃よりも低い種類の場合には、染色加工時や熱セット時あるいは摩擦加熱時に溶融欠点が生じる場合があり、製品の品位が低くなることがある。そして本発明における脂肪族ポリエステルの融点は好ましくは１５０℃以上であり、特に好ましくは融点が１７０℃以上である。ここで融点（Ｔｍ）は、後述する実施例Ｈ．項の方法によって観測される吸熱ピーク温度を指す。
【００３１】
また、本発明における脂肪族ポリエステルは、その屈折率が１．５０以下であることが好ましく、１．４５以下であることがより好ましい。屈折率が１．５０以下である場合には、染色時の布帛の発色性が優れ、結果的に優れた色あいのものが得られる。屈折率は低ければ低いほどよく、下限は１．００である。なおここでいう屈折率は、自然光を採光できる室内に設置され恒温水の循環等の手段により２３℃に調節された、プリズムを備えたアッベ屈折計により、ＪＩＳ−Ｋ７１０５記載の方法に準拠して測定される値を意味している。
【００３２】
本発明における脂肪族ポリエステルの数平均分子量は高いほど好ましく、５万以上であることが好ましく、１０万以上であることがより好ましい。また、該数平均分子量は高いほど好ましいものの、生産時に安定して作られることを考慮して、高々４０万であり、３０万以下であることが好ましい。平均分子量が５万よりも低い場合には、繊維の強度物性が低下する場合がある。ここで、該数平均分子量は、後述する実施例Ｌ．項の方法によって測定して得た値を用いる。
【００３３】
なお、本発明における脂肪族ポリエステルの中で特に好ましいとされるポリ乳酸の製造方法は特に限定されない。具体的には、特開平６−６５３６０号公報に開示されている方法が挙げられる。すなわち、乳酸を有機溶媒および触媒の存在下、そのまま脱水縮合する直接脱水縮合法である。また、特開平７−１７３２６６号公報に開示されている少なくとも２種類のホモポリマーを重合触媒の存在下、共重合並びにエステル交換反応させる方法が挙げられる。さらには、米国特許第２,７０３,３１６号明細書に開示されている方法が挙げられる。すなわち、乳酸を一旦脱水し、環状二量体とした後に、開環重合する間接重合法である。
【００３４】
本発明の脂肪族ポリエステル繊維は、芳香族ポリエステルを含んでなる。芳香族ポリエステルとしては、カルボン酸とアルコールのエステル化反応により形成されるエステルである主たる繰り返し構造単位において、芳香環構造を少なくとも１つ有するポリエステルを用いることができる。具体的には、本発明で用いられる芳香族ポリエステル系ポリマーとしては、例えば芳香族ジカルボン酸化合物とジオール化合物のエステル結合から形成される重合体を挙げることができ、これらにかかるポリマーとしては、ポリエチレンテレフタレート（ＰＥＴ）、ポリトリメチレンテレフタレート（ポリプロピレンテレフタレートと呼称される場合もある；ＰＴＴ）、ポリテトラメチレンテレフタレート（ＰＢＴ）、ポリエチレンナフタレート（ＰＥＮ）、ポリプロピレンナフタレート（ＰＰＮ）およびポリシクロヘキサンジメタノールテレフタレート（ＰＣＭＴ）等の芳香族ポリエステルが好ましいものとして挙げられる。そして、特に制限されるものではないものの、本発明の目的を損ねない範囲で他の成分が共重合されていても良く、例えばジカルボン酸化合物を共重合せしめることができる。該ジカルボン酸化合物として例えば、テレフタル酸、イソフタル酸、ナフタレンジカルボン酸、ジフェニルジカルボン酸、アントラセンジカルボン酸、フェナントレンジカルボン酸、ジフェニルエーテルジカルボン酸、ジフェノキシエタンジカルボン酸、ジフェニルエタンジカルボン酸、アジピン酸、セバシン酸、１，４−シクロヘキサンジカルボン酸、５−ナトリウムスルホイソフタル酸、５−テトラブチルホスホニウムイソフタル酸、アゼライン酸、ドデカンジオン酸、ヘキサヒドロテレフタル酸、といった芳香族、脂肪族、脂環族ジカルボン酸およびそれらのアルキル、アルコキシ、アリル、アリール、アミノ、イミノ、ハロゲン化物などの誘導体、付加体、構造異性体および光学異性体を挙げることができ、これらジカルボン酸化合物のうち１種を単独で用いても良いし、または本発明の目的を損ねない範囲で２種以上を組み合わせて用いても良い。
【００３５】
また、該芳香族ポリエステルの共重合成分としては、ジオール化合物を共重合せしめることができ、該ジオール化合物として例えば、エチレングリコール、プロピレングリコール、ブチレングリコール、ペンタンジオール、ヘキサンジオール、１，４−シクロヘキサンジメタノール、ネオペンチルグリコール、ハイドロキノン、レゾルシン、ジヒドロキシビフェニル、ナフタレンジオール、アントラセンジオール、フェナントレンジオール、２，２−ビス（４−ヒドロキシフェニル）プロパン、４，４´−ジヒドロキシジフェニルエーテル、ビスフェノールＳ、ポリエチレングリコール、ポリプロピレングリコール、ポリブチレンエーテル、といった芳香族、脂肪族、脂環族ジオール化合物およびそれらのアルキル、アルコキシ、アリル、アリール、アミノ、イミノ、ハロゲン化物などの誘導体、付加体、構造異性体および光学異性体を挙げることができ、これらジオール化合物のうち１種を単独で用いても良いし、または本発明の目的を損ねない範囲で２種以上を組み合わせて用いても良い。
【００３６】
また、該芳香族ポリエステルの共重合成分としては、１つの化合物に水酸基とカルボン酸を具有する化合物、すなわち、ヒドロキシカルボン酸を挙げることができ、該ヒドロキシカルボン酸としては、例えば、乳酸、３−ヒドロキシプロピオネート、３−ヒドロキシブチレート、３−ヒドロキシブチレートバリレート、ヒドロキシ安息香酸、ヒドロキシナフトエ酸、ヒドロキシアントラセンカルボン酸、ヒドロキシフェナントレンカルボン酸、（ヒドロキシフェニル）ビニルカルボン酸といった芳香族、脂肪族、脂環族ジオール化合物およびそれらのアルキル、アルコキシ、アリル、アリール、アミノ、イミノ、ハロゲン化物などの誘導体、付加体、構造異性体および光学異性体を挙げることができ、これらヒドロキシカルボン酸のうち１種を単独で用いても良いし、または本発明の目的を損ねない範囲で２種以上を組み合わせて用いても良い。
【００３７】
また、該芳香族ポリエステルとしては、芳香環構造がカルボン酸と水酸基を両方有した芳香族ヒドロキシカルボン酸化合物を主たる繰り返し単位とする芳香族ポリエステルであっても良く、例えば、ポリヒドロキシ安息香酸を挙げることができ、その他にも、これらポリ（芳香族ヒドロキシカルボン酸）には、本発明の目的を損ねない範囲で芳香族、脂肪族、脂環族ジカルボン酸、あるいは芳香族、脂肪族、脂環族ジオール成分が用いられていてもよく、あるいは複数種のヒドロキシカルボン酸が共重合されていても良い。
【００３８】
これら芳香族ポリエステルとして、導電剤含有ＡＰＥとの界面接着性が良好で剥離が生じがたいという点、および溶融紡糸におけるポリマー溶融温度が脂肪族ポリエステルと近いという点で、エチレンテレフタレートを主たる繰り返し構造単位とするＰＥＴ系ポリマー、トリメチレンテレフタレートを主たる繰り返し構造単位とするトリメチレンテレフタレート系ポリマー（これらを以下「ＰＴＴ系ポリマー」と総称することがある）、テトラメチレンテレフタレートを主たる繰り返し構造単位とするＰＢＴ系ポリマー、エチレンナフタレートを主たる繰り返し構造単位とするエチレンナフタレート系ポリマー（これらを以下「ＰＥＮ系ポリマー」と総称することがある）、シクロヘキサンジメタノールテレフタレートを主たる繰り返し構造単位とするシクロヘキサンジメタノールテレフタレート系ポリマー（これらを以下「ＰＣＭＴ系ポリマー」と総称することがある）、プロピレンナフタレートを主たる繰り返し構造単位とするプロピレンナフタレート系ポリマー（これらを以下「ＰＰＮ系ポリマー」と総称することがある）が特に好ましいものとして挙げられる。個別には、高い剛性が望まれる用途、例えば後述するような電子写真装置の中に組み込まれている清掃装置の部材として用いられるような場合には、概して剛性の高い繊維が好まれることから、芳香族ポリエステルは導電剤含有ＡＰＥよりも剛性の高いものであることが好ましく、ＰＥＴ系ポリマーまたはＰＥＮ系ポリマーが好ましく、特に導電剤含有ＡＰＥと融点（Ｔｍ）が近い点で第３成分（あるいはそれ以上の複数成分）を共重合してなるＰＥＴ系ポリマーが好ましい。またあるいは、低い剛性が望まれる用途、例えば後述するような電子写真装置の中に組み込まれている帯電装置の部材として用いられるような場合には、概して剛性の低い繊維が好まれることから、芳香族ポリエステルは導電剤含有ＡＰＥよりも剛性の低いものであることが好ましく、特にＰＴＴ系ポリマーまたはＰＢＴ系ポリマーが好ましい。
【００３９】
本発明の繊維の構成としては、導電剤を含有する脂肪族ポリエステル（導電剤含有ＡＰＥ）と芳香族ポリエステルとを含んでなるものであれば、特に制限されない。すなわち本発明の繊維中、導電剤含有ＡＰＥと芳香族ポリエステル以外の他の１種または複数種のポリマーが含有されていても良い。本発明の繊維においては、導電剤を含有する脂肪族ポリエステルおよび芳香族ポリエステル（芳香族ポリエステルは１種単独で用いても良く、あるいは複数種を併用しても良い）以外の成分（他のポリマー成分）が配置されて（含まれて）なる場合、該他のポリマー成分は、主たる成分として繊維形成能を有するポリマーからなることが好ましい。該他のポリマー成分としては、例えば、脂肪族ポリエステル系ポリマー、ポリアミド系ポリマー、ポリイミド系ポリマー、ポリオレフィン系ポリマーやその他ビニル基の付加重合により合成される例えばポリアクリロニトリル系ポリマーなどのビニル系ポリマー、フッ素系ポリマー、セルロース系ポリマー、シリコーン系ポリマー、芳香族あるいは脂肪族ケトン系ポリマー、天然ゴムや合成ゴムなどのエラストマー、その他多種多様なエンジニアリングプラスチックなどを挙げることができる。
【００４０】
該他のポリマー成分としてより具体的には、例えば、ビニル基を有したモノマーが、ラジカル重合、アニオン重合、カチオン重合などの付加重合反応によりポリマーが生成する機構により合成されるポリオレフィン系ポリマーやその他のビニル系ポリマーとしては、ポリエチレン、ポリプロピレン、ポリブチレン、ポリメチルペンテン、ポリスチレン、ポリアクリル酸、ポリメタクリル酸、ポリメタクリル酸メチル、ポリアクリロニトリル、ポリテトラフルオロエチレン、ポリフッ化ビニリデン、ポリ塩化ビニリデン、ポリシアン化ビニリデン、などが挙げられるが、これらは例えばポリエチレンのみ、あるいはポリプロピレンのみのように単独重合によるポリマーであっても良いし、あるいは複数のモノマー共存下に重合反応を行うことで形成される共重合ポリマーであっても良く、例えばスチレンとメチルメタクリレート存在下での重合を行うとポリ（スチレン−メタクリレート）という共重合したポリマーが生成するが、本発明の目的を損ねない範囲において、このような共重合体であるポリマーであっても良い。
【００４１】
また、該他のポリマー成分としては、例えば、カルボン酸あるいはカルボン酸クロリドと、アミンの反応により形成されるポリアミド系ポリマーを挙げることができ、具体的にはナイロン６、ナイロン７、ナイロン９、ナイロン１１、ナイロン１２、ナイロン６，６、ナイロン４，６、ナイロン６，９、ナイロン６，１２、ナイロン５，７およびナイロン５，６などが挙げられるほか、本発明の趣旨を損ねない範囲で他の芳香族、脂肪族、脂環族ジカルボン酸と芳香族、脂肪族、脂環族ジアミン成分が、あるいは芳香族、脂肪族、脂環族などの１つの化合物がカルボン酸とアミノ基を両方有したアミノカルボン酸化合物が単独で用いられていてもよく、あるいは第３、第４の共重合成分が共重合されているポリアミド系ポリマーであっても良い。
【００４２】
また、該他のポリマー成分としては、例えば、カルボン酸とアルコールのエステル化反応により形成される脂肪族ポリエステル系ポリマーを挙げることができる。具体的に挙げられる脂肪族ポリエステルについては前述しているが、導電剤を含有しない脂肪族ポリエステルが繊維中に含有されても良いことを意味する。
【００４３】
また、該他のポリマー成分としては、アルコールと炭酸誘導体のエステル交換反応により形成されるポリカーボネート系ポリマー、カルボン酸無水物とジアミンの環化重縮合により形成されるポリイミド系ポリマー、ジカルボン酸エステルとジアミンの反応により形成されるポリベンゾイミダゾール系ポリマーや、そのほかにもポリスルホン系ポリマー、ポリエーテル系ポリマー、ポリフェニレンスルフィド系ポリマー、ポリエーテルエーテルケトン系ポリマー、ポリエーテルケトンケトン系ポリマー、脂肪族ポリケトンなどのポリマーの他、セルロース系ポリマーや、キチン、キトサンおよびそれらの誘導体など、天然高分子由来のポリマーなども挙げられる。
【００４４】
そして該他のポリマー成分としては、上記の中から選ばれるポリマー１種類を単独で用いても良く、また、本発明の目的を損ねない範囲において複数種のポリマーを併用しても良い。
【００４５】
本発明における脂肪族ポリエステルに含有される導電剤は、多種多様のものを採用でき、導電性のカーボンブラックや金属酸化物など、必要とする用途に応じて適宜採用して用いることができる。具体的にはまず好ましいものとして、導電性のカーボンブラックが挙げられ、例えば導電性ファーネスブラック、導電性ケッチェンブラック、あるいは導電性アセチレンブラック、カーボンナノチューブ（以下ＣＮＴと略記することがある）、気相成長炭素繊維（以下ＶＧＣＦと略記することがある）などが好適に用いられる。これらのうち、導電性ファーネスブラックは後述するような好適とされる溶融紡糸において脂肪族ポリエステルと良好な相互作用を有していることから、脂肪族ポリエステル中に高濃度で含有せしめながらも優れた紡糸性を保持することが可能な点で、より好ましい成分として用いられる。また、ＣＮＴはその直径が５０ｎｍ以下のものであると、導電性も高く、また、後述のように少量添加で導電剤含有ＡＰＥとして高い導電性を有することから、とても好ましい導電剤として用いられる。そしてこれら導電性のカーボンブラックの導電性は比抵抗値として５０００［Ω・ｃｍ］以下のものが好ましく用いられ、特に好ましい範囲としては、１．０×１０−６［Ω・ｃｍ］〜５００［Ω・ｃｍ］である。ここで該比抵抗値は、下記実施例Ｅ．項の方法にて測定して求める。
【００４６】
また、本発明における導電剤としては、前述の導電性のカーボンブラックを用いた場合、得られる繊維が黒色になることがあって、用途によっては用いることができないことがある。従ってその場合には、黒色以外の導電剤を用いれば良く、金属、金属酸化物や金属化合物、あるいは金属や金属酸化物をコーティングした粒子などが挙げられる。金属としては例えば金、銀、銅、ニッケル、鉄、アルミニウム、あるいはこれら金属からを少なくとも１種選ばれて含有する合金が挙げられる。特に鉄については純度が高い粒径の小さい純鉄粒子が容易に入手可能でしかも比抵抗値が１０−５［Ω・ｃｍ］以下と非常に小さく、好適に採用できる。また、金属化合物については硫化銅、ヨウ化銅、硫化亜鉛、硫化カドミウムなどが挙げられる。また、金属酸化物としては、錫酸化物、亜鉛酸化物、インジウム酸化物、ジルコニウム酸化物、タングステン酸化物、アンチモン酸化物、アルミニウム酸化物などが好適なものとして挙げられる。そしてより好ましいものとして、金属酸化物をコーティングしてなる粒子が用いられ、粒子としては、酸化チタン、酸化マグネシウム、酸化ケイ素、酸化アルミニウムなどが挙げられ、また、コーティングされる金属酸化物としては、錫酸化物、アルミニウム酸化物、アンチモン酸化物、亜鉛酸化物、インジウム酸化物などが挙げられ、これら金属酸化物は１種単独で用いても良くあるいは元素の異なる複数種を混合して用いても良い。そしてこれら金属酸化物をコーティングしてなる粒子の中でより好ましいものとしては、アンチモン酸化物を含有（ドープ）した錫酸化物をコーティングしてなる酸化チタン粒子、アンチモン酸化物を含有（ドープ）したインジウム酸化物をコーティングしてなる酸化アルミニウム粒子、アンチモン酸化物を含有（ドープ）した錫酸化物をコーティングしてなる酸化ケイ素粒子、などが挙げられる。そして、粒子としての平均粒径が小さく繊維に添加しても強度や伸度などの物理物性への悪影響が小さく、また、粒子自体の比抵抗値が高く、黒くない（明度Ｌ＊が高い）という点で、錫酸化物、亜鉛酸化物、インジウム酸化物、アンチモン酸化物、アルミニウム酸化物の中から異なる元素由来の少なくとも２種選ばれてなる金属酸化物をコーティングしてなる粒子が好ましく、アンチモン酸化物を含有（ドープ）した錫酸化物をコーティングしてなる酸化チタン粒子が特に好ましい。
【００４７】
本発明における導電剤は、脂肪族ポリエステルに含有せしめた場合に繊維物性を損ねないことが好ましく、また、凝集しにくいことが好ましいことから、該導電剤の粒子の大きさは、平均粒径で０．１〜５００ｎｍの範囲のものが好ましい。前述で好ましいとした導電性ファーネスブラックであれば５〜１００ｎｍの範囲のものがより好ましく、５〜５０ｎｍの範囲のものが特に好ましい。また、前述で好ましいとしたカーボンナノチューブ（ＣＮＴ）であればその直径は平均で０．１〜１００ｎｍの範囲のものが好ましく、０．５〜５０ｎｍの範囲のものがより好ましい。なお該ＣＮＴの直径Ｄと長さＬの比（アスペクト比）Ｌ／Ｄについては適度な大きさをもつことで本発明の脂肪族ポリエステル中でＣＮＴ同士が凝集しにくく、あるいは繊維を形成させた場合には繊維の長手方向に略配向して繊維長手方向の導電性が均質になる好ましい特性を有することから、該Ｌ／Ｄは１０〜１００００であることが好ましく、１５〜５０００であることがより好ましく、２０〜３０００であることが特に好ましい。ここで導電剤の平均粒径や、ＣＮＴのＬ／Ｄは下記実施例Ｊ．の方法にて測定される。
【００４８】
そして該導電剤の脂肪族ポリエステル中における含有量は、繊維が高い導電性を有すること、および繊維の強度や伸度などの物性が安定していることなどから、導電性ファーネスブラック、導電性ケッチェンブラック、あるいは導電性アセチレンブラックの場合には１０重量％以上４０重量％以下であることが好ましく、１５重量％以上３５重量％以下であることがより好ましく、１６重量％以上３０重量％以下であることが特に好ましい。導電剤がＣＮＴまたはＶＧＣＦの場合には０．１重量％以上２０重量％以下であることが好ましく、０．５重量％以上１５重量％以下であることがより好ましく、１．０重量％以上１０重量％以下であることが特に好ましい。導電剤が金属、金属酸化物や金属化合物、あるいは金属や金属酸化物をコーティングした粒子などの場合には１０重量％以上９０重量％以下であることが好ましく、２０重量％以上８５重量％以下であることがより好ましく、４０重量％以上８０重量％以下であることが特に好ましい。なお、該導電剤の脂肪族ポリエステル中における含有量は、後述Ｎ．項の方法にて測定される。
【００４９】
本発明において脂肪族ポリエステルに導電剤を含有せしめる方法としては任意の方法が採用でき、具体的には、（Ａ）不活性気体の雰囲気下、脂肪族ポリエステルを溶融し、導電剤を添加し、エクストルーダや静置混練子のような混練機により常圧もしくは減圧下で混練する方法、（Ｂ）通常の脂肪族ポリエステルの重合反応において、重合反応が停止する以前の任意の段階で導電剤を含有せしめて混練する方法、（Ｃ）脂肪族ポリエステルを溶融する以前の任意の段階で粉体あるいは粒体の脂肪族ポリエステルと、粉体あるいは粒体の導電剤とをあらかじめ所定の分量で混合、攪拌したものを溶融せしめて、エクストルーダや静置混練子のような混練機により常圧もしくは減圧下で混練する方法、などが挙げられるが、簡便に混練が達成できかつ導電剤と脂肪族ポリエステル成分とがより微細に混練されることから、好ましくは（Ａ）または（Ｃ）の方法が採用される。特にエクストルーダに関しては１軸あるいは２軸以上の多軸エクストルーダを好適に用いることができるものの、脂肪族ポリエステル成分と導電剤とを混練した際に導電剤が微細混練するという点で、２軸以上の多軸エクストルーダを採用することが好ましい。そしてエクストルーダの軸の長さ（ｌ）および軸の太さ（ｗ）の比ｌ／ｗについては特に制限されるものではないが、混練性向上の点でｌ／ｗは１０以上であることが好ましく、２０以上であることがより好ましく、３０以上であることが更により好ましい。なおポリマーの装置中の滞留時間を鑑み、該ｌ／ｗは２００以下であることが好ましい。この時導電剤の添加は前述のとおり、エクストルーダに供給する以前の段階で乾式ブレンドしておいても良く、あるいはエクストルーダに配設したサイドフィーダーを用いて溶融した脂肪族ポリエステルとエクストルーダ中にて混合しても良い。また、特に静置混練子に関しては、例えば溶融した脂肪族ポリエステルの流路を２つあるいはそれ以上の複数に分割して再度合一するという作業（この分割から合一までの作業１回を１段とする）がなされる静置型の混練素子であれば特に制限されるものではないものの、より混練性が優れるという点で静置混練子の段数は５段以上であることが好ましく、１０段以上であることが更により好ましい。また、流路の必要長さにも依るものの５０段以下であることが好ましい。
【００５０】
本発明の繊維は、使用時の環境によっては高温に曝される場合もあることから、耐熱性に優れるという点で、１６０℃大気中で１５分間保持した際の収縮率（「乾熱収縮率」と称する）が２０％以下であることが好ましく、１０％以下であることがより好ましく、７％以下であることが特に好ましい。低いほど好ましく０％までのものが好適に用いられる。ここで該乾熱収縮率は、下記実施例Ｇ．項の方法にて測定したものを採用する。
【００５１】
本発明の繊維は、衣料用途や後述するブラシローラー用など様々な用途での使用時の変形が小さいという点で、残留伸度が５〜１００％であることが好ましく、５〜６０％であることが特に好ましい。ここで該残留伸度は、下記実施例Ｂ．項の方法にて測定したものを採用する。
【００５２】
本発明の繊維は、様々な用途に応じて適宜繊維としての物性を制御すればよいものの、それら様々な用途に広く適用できる点で、１５ｃＮ／ｄｔｅｘ〜８０ｃＮ／ｄｔｅｘの初期引張弾性率を持つことが好ましく、また、この範囲で安定して製造可能である。そして特定の用途によっては更に好ましいとされる初期引張弾性率があり、例えば後述するような電子写真装置の中に組み込まれている清掃装置の部材として用いられるような場合には、概して剛性（初期引張弾性率と高い相関がある）の高い繊維が好まれ、掻き落とし性が良好であるという点で、初期引張弾性率が４５ｃＮ／ｄｔｅｘ〜８０ｃＮ／ｄｔｅｘであることがさらに好ましく、５０ｃＮ／ｄｔｅｘ〜８０ｃＮ／ｄｔｅｘであることが特に好ましい。ここで該初期引張弾性率を電子写真装置の中に組み込まれている清掃装置の部材として用いられるのに好ましいとされる４５ｃＮ／ｄｔｅｘ以上となすには、導電剤を含有する脂肪族ポリエステル（導電剤含有ＡＰＥ）と芳香族ポリエステルとを組み合わせてなる繊維を構成する際に、より高い初期引張弾性率を達成しうるという点で、芳香族ポリエステルとしてエチレンテレフタレートを主たる繰り返し構造単位とするＰＥＴ系ポリマーやエチレンナフタレートを主たる繰り返し構造単位とするＰＥＮ系ポリマーなどを用いて繊維となすことが好ましい。またあるいは、後述するような電子写真装置の中に組み込まれている帯電装置の部材として用いられるような場合には、概して剛性（初期引張弾性率と高い相関がある）の低い繊維が好まれ、帯電時の異常帯電が極力減少するという点で、初期引張弾性率が１５ｃＮ／ｄｔｅｘ〜４５ｃＮ／ｄｔｅｘであることがより好ましく、１５ｃＮ／ｄｔｅｘ〜４０ｃＮ／ｄｔｅｘであることがさらにより好ましく、１５ｃＮ／ｄｔｅｘ〜３５ｃＮ／ｄｔｅｘであることが特に好ましい。そして低いほど好ましい。ここで該初期引張弾性率を電子写真装置の中に組み込まれている帯電装置の部材として用いられるのに好ましいとされる４５ｃＮ／ｄｔｅｘ以下となすには、導電剤を含有する脂肪族ポリエステル（導電剤含有ＡＰＥ）と芳香族ポリエステルとを組み合わせてなる繊維を構成する際に、より低い初期引張弾性率を達成しうるという点で、トリメチレンテレフタレートを主たる繰り返し構造単位とするＰＴＴ系ポリマーや、テトラメチレンテレフタレートを主たる繰り返し構造単位とするＰＢＴ系ポリマーなどを芳香族ポリエステルとして用いて繊維となすことが好ましい。なおここで該初期引張弾性率は、下記実施例Ｂ．項の方法にて測定したものを採用する。
【００５３】
本発明の繊維は、衣料用途や後述するブラシローラー用など様々な用途で形状あるいは特性を安定して満足するために、破断強度が１．０ｃＮ／ｄｔｅｘ以上であることが好ましく、１．５ｃＮ／ｄｔｅｘ以上であることがより好ましく、２．０ｃＮ／ｄｔｅｘ以上であることが更により好ましい。通常、導電性の高い繊維を作製するべく導電剤を高濃度で含有せしめた前述のＰＥＴ系ポリマーやＰＢＴ系ポリマーなど従来より汎用的に用いられてきた芳香族ポリエステルは、繊維を形成した場合には破断強度が非常に低く（概ね１．０ｃＮ／ｄｔｅｘ未満）どのような手段を採っても破断強度を高めることは困難であった。しかし本発明者らは、ポリエステルとして脂肪族ポリエステルを用いた場合に、導電導電剤が高濃度で含有されていたとしても、破断強度の低下が殆どないことを見出したものである。そして該破断強度に関しては高いほど好ましいものの、生産性を考慮すると７．０ｃＮ／ｄｔｅｘ以下のものが好適に製造される。ここで該破断強度は、下記実施例Ｂ．項の方法にて測定したものを採用する。
【００５４】
本発明の繊維は、平均抵抗率Ｐが１．０×１０１２［Ω／ｃｍ］以下である。該平均抵抗率の範囲においては、後述するような多様な用途、例えば衣料、アクチュエーター、ブラシローラー、発熱体、あるいはこれらを組み込んでなる様々な製品などにおいて所望の導電性が付与される。平均抵抗率Ｐは、小さければ小さいほど導電性が高い、すなわち電気を流しやすいため、用途によっては低い平均抵抗率を持つ必要があるものの、本発明の脂肪族ポリエステル繊維における脂肪族ポリエステルに最大限含有せしめることが可能な導電剤の量を鑑み、平均抵抗率Ｐの下限としては１．０×１０−２［Ω／ｃｍ］であることが好ましい。そして１．０×１０−１［Ω／ｃｍ］〜１．０×１０１２［Ω／ｃｍ］の範囲が安定して制御可能であるため好ましい。特に、後述するような電子写真装置に組み込むブラシローラーに本発明の脂肪族ポリエステル繊維を用いる際には１．０×１０３〜１．０×１０１２［Ω／ｃｍ］の範囲の平均抵抗率であることが好ましく、ブラシローラーの用いられる部材や装置の特性に応じて後述するような範囲の平均抵抗率の繊維が採用される。また、後述するような発熱体に用いられる場合においても目的とする発熱量に応じて平均抵抗率を適宜設定すれば良いものの、１．０×１０−２〜１．０×１０７［Ω／ｃｍ］の範囲の平均抵抗率であることが好ましい。ここで該平均抵抗率Ｐは下記実施例Ｃ．項の方法にて測定したものを採用する。
【００５５】
また、本発明の脂肪族ポリエステル繊維は、後述するような様々な用途で安定した斑のない導電性が確保されることが好ましいことから、平均抵抗率Ｐと抵抗率の標準偏差Ｑとの比Ｒ（Ｒ＝Ｑ／Ｐ）が０．５以下であることが好ましい。比Ｒが０．５以下であるということが導電性の斑が小さいことを意味し、小さい値をとるほど導電性に斑が無く優れるのである。そして０．４以下であることがより好ましく、０．３以下であることが特に好ましい。そして本発明の繊維の平均抵抗率が１．０×１０９［Ω／ｃｍ］未満である場合には、該比Ｒは０．２以下であることが特に好ましい。また、例えば後述するような電子写真装置の中に組み込まれている帯電装置の部材として用いられるような場合には、該比Ｒは０．１以下であることが特に好ましい。なお、該比Ｒは小さければ小さいほど好ましいものの、通常達成可能な値としてＲは０．００１以上である。ここで該比Ｒは下記実施例Ｃ．項の方法にて測定・算出したものを採用する。
【００５６】
さらに、本発明の脂肪族ポリエステル繊維は、温湿度変化、具体的には例えば梅雨の時期のように湿った気候の場合であっても冬季のように低温で乾燥した気候であっても繊維の導電性能は何ら変わらないことが好ましい。そこで該繊維の、中温中湿度（２３℃湿度５５％）での平均抵抗率Ｘ［Ω／ｃｍ］と、低温低湿度（１０℃湿度１５％）での平均抵抗率Ｙ［Ω／ｃｍ］との比Ｚ（＝Ｙ／Ｘ）が、１〜５の範囲にあることが好ましく、１〜４の範囲にあることがより好ましく、１〜２の範囲にあることが特に好ましい。Ｚは１に近い値をとるほど中温中湿度と低温低湿度との差が小さい、すなわち温度湿度依存性が小さく優れた繊維であるということになる。ここで該平均抵抗率の比は下記実施例Ｄ．項の方法にて測定したものを採用する。
【００５７】
本発明の脂肪族ポリエステル繊維は、芳香族ポリエステルを含んでなるため、導電性に優れつつも高温耐熱性に優れる。従来技術（例えば特許文献３）のように、脂肪族ポリエステルのみからなる導電性繊維は、せいぜい１４０℃で繊維の強度あるいは形態安定性が格段に劣化し、織物などの繊維構造体となした場合に、収縮や溶融が見られ、使い物にならないことが多々あった。しかし本発明の脂肪族ポリエステル繊維は芳香族ポリエステルを含んでなるために１６０℃以上の高温での形態安定性に優れるのである。該高温耐熱性は繊維構造体の形態変化（外観変化）が１６０℃以上で見られる場合に好ましいとするが、１８０℃以上であることがより好ましく、２００℃以上であることがさらにより好ましく、２００℃でも外観変化が見られないことが特に好ましい。該高温耐熱性については、下記実施例Ｐ．項の方法にて測定したものを採用する。
【００５８】
本発明の繊維は、特に短繊維となして電気植毛加工を行う際に、より効率的に加工が行えるという点で、比抵抗値が１０６〜１０９［Ω・ｃｍ］であることが好ましく、１０７〜１０８［Ω・ｃｍ］であることがより好ましい。そしてこれら好ましいとされる比抵抗値の値を有する短繊維とせしめるために導電調製剤等で処理することが好ましい。該導電調製剤としては例えばシリカ系粒子が混合された水系溶剤あるいは有機系溶剤を挙げることができ、その際のシリカ系粒子の粒径としては通常１ｎｍ〜２００μｍの大きさの粒子が用いられ、３ｎｍ〜１００μｍの大きさの粒径が好ましい。ここで該比抵抗値は下記実施例Ｅ．項の方法にて測定したものを採用する。
【００５９】
本発明の繊維は、本発明の趣旨を損ねない、すなわち斑のない、高い導電性を保ちつつも優れた溶融紡糸性を示すという特性を損ねない範囲で艶消剤、難燃剤、滑剤、減粘剤、酸化防止剤、紫外線吸収剤、赤外線吸収剤、結晶核剤、蛍光増白剤、末端基封止剤等の添加剤を少量保持しても良い。特に本発明において用いられる脂肪族ポリエステルの中で特に好ましいとされるポリ乳酸にとっては、環状アミド化合物またはその誘導体であるラクタム系減粘剤、あるいはカルボジイミド系末端基封止剤は好適に用いられうる。また、これら添加剤は、本発明の繊維が前述のとおり、複合繊維となす場合には導電剤を含有する脂肪族ポリエステル（導電剤含有ＡＰＥ）および／または導電剤を含有する脂肪族ポリエステル以外の成分のいずれに保持されていても良い。
【００６０】
以下、本発明の脂肪族ポリエステル繊維の好ましい製造方法を例示する。
【００６１】
本発明の脂肪族ポリエステル繊維は、溶融紡糸、乾式紡糸、湿式紡糸、あるいは乾湿式紡糸などの溶液紡糸など、種々の合成繊維の紡糸方法を採用して製造できるものの、繊維中に配設された脂肪族ポリエステル中の導電剤を高濃度で含有せしめることが容易かつ可能であり、また、繊維形状を精密に制御可能であることから溶融紡糸により好適に製造される。そして導電剤を含有する脂肪族ポリエステル（導電剤含有ＡＰＥ）と芳香族ポリエステル（と他のポリマー成分）とを共に複合紡糸することで繊維を得る。溶融吐出された繊維（未延伸糸）はガラス転移温度（Ｔｇ）以下に冷却され、処理剤を付着しないかもしくは処理剤を付着せしめた後、１００〜１００００ｍ／分の引取速度で、上限として好ましくは７０００ｍ／分以下、より好ましくは５０００ｍ／分以下、特に好ましくは３０００ｍ／分以下の引取速度で、また、下限としては１０ｍ／分以上であればよいものの、生産性を考慮して好ましくは５００ｍ／分以上の引取速度で引き取る。ここで口金孔から吐出される繊維一束の本数（糸条の繊維本数）は目的とする使用方法あるいは用途に応じて適宜選択すればよく、１本のモノフィラメントの状態であっても、３０００本以下の複数糸条からなるマルチフィラメントでも良いものの、諸物性の安定した繊維が得られ、各種用途に好適に採用されるという点で、４〜５００本が好ましく、１０〜１５０本が特に好ましい。また、付着せしめる処理剤は繊維の用途に応じて適宜用いることができ、含水系あるいは非含水系の処理剤がここに採用されうるものの、本発明の繊維を用いてなる用途の中で、特に電子写真装置の部材として用いる場合には、感光体に接触して用いることもあるが、該感光体が劣化することを防止するために感光体を劣化せしめるような化合物が含有されていないことが好ましい。
【００６２】
引き取った後、巻き取ることなくもしくは一旦巻き取った後、繊維を構成するポリマーのガラス転移温度（Ｔｇ）＋１００℃以下の温度に加熱して、より好ましくはガラス転移温度Ｔｇ−２０℃〜Ｔｇ＋８０℃の温度範囲に加熱して、延伸糸の残留伸度が５〜６０％となる倍率で、好ましくは延伸糸の残留伸度が１０〜５０％となる倍率で延伸する。ここで一旦延伸したのち（すなわち１段目の延伸を終えた後）、さらに１倍以上２倍以下の倍率で、２段目の延伸を施してもよい。
【００６３】
延伸したのち、繊維は最終延伸温度以上融点（Ｔｍ）以下の温度で熱処理することが好ましい。延伸後に高温で熱処理を施すことで、より耐熱性に優れ、かつ前述したような導電性の斑の小さい繊維となすことができるのである。ここで該Ｔｇ，Ｔｍは下記実施例Ｈ．項の方法にて測定したものを採用する。
【００６４】
上記延伸方法あるいは延伸後の熱処理方法としては特に制限されるものではなく、加熱されたピン状物、ローラー状物、プレート状物などの接触式ヒーターや加熱した液体を用いた接触式バス、あるいは加熱気体、加熱蒸気、電磁波などを用いた非接触式加熱媒体などを採用することが可能であるものの、加熱されたピン状物、ローラー状物、プレート状物などの接触式ヒーターや加熱した液体を用いた接触式バスなどは装置が簡便で加熱効率が高いことから好ましく、加熱されたローラー状物が特に好ましい。熱処理された繊維は、空気中を走行中に冷却されるものの、熱処理手段の下流に−５０℃〜５０℃の範囲の冷却媒体にて冷却されることが好ましい。ここで該冷却媒体としては、ピン状物、ローラー状物、プレート状物などの接触式媒体や液体を用いた接触式バス、あるいは気体、蒸気などを用いた非接触式媒体などを採用することが可能であるものの、ピン状物、ローラー状物、プレート状物などの接触式媒体や液体を用いた接触式バスなどは装置が簡便で冷却効率が高いことから好ましく、ローラー状物が特に好ましく採用される。そして熱処理手段と冷却媒体の間は、目的とする用途や設定すべき平均抵抗率、あるいは平均抵抗率Ｐと抵抗率の標準偏差Ｑとの比Ｒ（Ｒ＝Ｑ／Ｐ）に応じて、繊維を伸長（ストレッチ）させても、収縮（リラックス）させても良い。ここでストレッチまたはリラックスさせる割合としては、熱処理手段上での糸速度（ＳＨ）と冷却媒体上での糸速度（ＳＣ）の比（ＳＨ／ＳＣ）が、０．９０≦ＳＨ／ＳＣ≦１．１であることが好ましく、０．９５≦ＳＨ／ＳＣ≦１．０５であることがより好ましい。当然ながらストレッチもリラックスも施す必要がない場合には、ＳＨ／ＳＣ＝１、すなわちＳＨ＝ＳＣでも良い。最終的には冷却媒体を通過した後、巻き取られて繊維を得る。
【００６５】
本発明の脂肪族ポリエステル繊維は、織物あるいは編物、さらには様々な衣料用途に用いる場合には前述の延伸の後、もしくは延伸に代えて、仮撚り加工を施しても良い。仮撚り加工において繊維は、延伸糸あるいは未延伸糸を加熱することなくもしくは加熱されたピン状物、ローラー状物、プレート状物、あるいは非接触型のヒーターなどにより加熱した後、ディスク状物あるいはベルト状物によって仮撚り加工される。延伸仮撚り加工された繊維は、そのままもしくは特に制限されるものではないものの熱セットされた後に巻き取られることが好ましい。また、本発明の脂肪族ポリエステル繊維は、前述の仮撚り加工の代わりに、撚糸加工を施しても良い。
【００６６】
本発明の脂肪族ポリエステル繊維は、用いられうる用途にあるいは形状に即して、少なくとも一部にあるいは全部に用いられた織物となすことができる。ここで例えば１重織物としてはブロード、ボイル、ローン、ギンガム、トロピカル、タフタ、シャンタン、デシンなどの平織、デニム、サージ、ギャバジンなどの綾織、サテン、ドスキンなどの朱子織、バスケット、パナマ、マット、ホップサック、オックスフォードなどのななこ織、グログラン、オットマン、ヘアコードなどの畝織、フランス綾、ヘリンボーン、ブロークンツイルなどの急斜文、緩斜文、山形斜文、破れ斜文、飛び斜文、曲り斜文、飾斜文や、不規則朱子、重ね朱子、拡げ朱子、昼夜朱子や、蜂巣織、ハック織、梨地織、ナイアガラなどが挙げられ、また、２枚の織物を合わせて１枚の織物となした２重織物としては、ピケ、フクレ織などの経２重織、ベッドフォードコードなどの緯２重織、風通織、袋織などの経緯２重織などが挙げられ、また、パイル織物としては別珍やコールテンなどの緯パイル織や、タオル、ビロード、ベルベットなどの経パイル織などが挙げられ、その他に紗織や絽織などのからみ織物、ドビー織やジャガード織などの紋織物などを挙げることができ、特に後述のブラシローラー用に織物を用いる場合にはパイル織物が好ましい。そして該織物を作製するために用いられる本発明の繊維は、生糸、撚糸、仮撚り加工糸など、また、長繊維（フィラメント）、あるいは短繊維（ステープル）など、繊維の形態については特に制限はない。
【００６７】
また、本発明の脂肪族ポリエステル繊維は、用いられうる用途にあるいは形状に即して、少なくとも一部にあるいは全部に用いられた編物となすことができる。ここで編物としては天竺やシングルなどの平編、ゴム編やフライスなどのリブ編、リンクスなどのパール編の他、鹿の子、梨地、アコーディオン編、スモールパターン、レース編、裏毛編、片畦編、両畦編、リップル、ミラノリブ、ダブルピケ、等の緯編、あるいはトリコット、ラッセル、ミラニーズなどの経編などを挙げることができ、特に後述のブラシローラー用に編物を用いる場合には、裏毛編やあるいはパイル状繊維を編物表面に突出させるための起毛処理を施した編物が好ましい。そして該編物を作製するために用いられる本発明の脂肪族ポリエステル繊維は生糸、撚糸、仮撚り加工糸など、また、長繊維（フィラメント）、あるいは短繊維（ステープル）など、繊維の形態については特に制限はない。
【００６８】
また、本発明の脂肪族ポリエステル繊維は、用いられうる用途にあるいは形状に即して、少なくとも一部にあるいは全部に用いられた不織布となすことができる。ここで不織布としてはケミカルボンド法、サーマルボンド法、ニードルパンチ法、ウォータージェットパンチ（スパンレース）法、スティッチボンド法、フェルト法などの接合あるいは接着方法により形成されたものを挙げることができ、不織布を作製するために用いられる本発明の脂肪族ポリエステル繊維は生糸、撚糸、仮撚り加工糸など、また、長繊維（フィラメント）、あるいは短繊維（ステープル）など繊維の形態等については特に制限はない。
【００６９】
本発明の脂肪族ポリエステル繊維が少なくとも一部に用いられてなる前述の織物あるいは編物は、常法の精練、染色、熱セット等の加工を受けてもよく、あるいは前述の不織布であれば、艶付けプレス、エンボスプレス、コンパクト加工、柔軟加工、ヒートセッティングなどの物理的処理加工や、ボンディング加工、ラミネート加工、コーティング加工、防汚加工、撥水加工、帯電防止加工、防炎加工、防虫加工、衛生加工、泡樹脂加工などの化学的処理加工や、その他にマイクロ波応用や、超音波応用、遠赤外線応用、紫外線応用、低温プラズマ応用などの応用処理がなされていても良い。
【００７０】
また、本発明の脂肪族ポリエステル繊維が少なくとも一部に用いられてなる前述の織物、編物、あるいは不織布としては、本発明の脂肪族ポリエステル繊維と、本発明とは異なる合成繊維、半合成繊維、天然繊維など、例えばセルロース繊維、ウール、絹、ストレッチ繊維、アセテート繊維から選ばれた少なくとも１種類の繊維とを用いたものであっても良い。具体的に例を挙げると、セルロース繊維としては、綿、麻等の天然繊維、あるいは銅アンモニアレーヨン、レーヨン、ポリノジック等が挙げられ、これらセルロース繊維と混用する本発明の脂肪族ポリエステル繊維の含有率については特に制限はないが、セルロース繊維の風合い、吸湿性、吸水性、制電性などを生かし、かつ本発明の脂肪族ポリエステル繊維の導電性を生かすために、０．１〜５０重量％が好ましい。また、該混用に用いられるウール、絹は既存のものがそのまま使用でき、これらウール、あるいは絹と混用する本発明の脂肪族ポリエステル繊維の含有率については、ウールの風合い、暖かみ、かさ高さ、また、絹の風合い、きしみ音を生かし、かつ本発明の脂肪族ポリエステル繊維の導電性を生かすために、０．１〜５０重量％が好ましい。また、混用に用いられるストレッチ繊維は、特に限定されるものではなく、乾式紡糸または溶融紡糸されたポリウレタン繊維、ポリブチレンテレフタレート繊維やポリテトラメチレングリコール共重合ポリブチレンテレフタレート繊維に代表されるポリエステル系弾性糸等が挙げられ、ストレッチ繊維を用いる混用布帛において、本発明の脂肪族ポリエステル繊維の含有率は０．１〜５０重量％程度が好ましい。また、混用に用いられるアセテート繊維は特に制限されるものではなく、ジアセテート繊維でもトリアセテート繊維でもよく、これらアセテート繊維と混用する本発明の脂肪族ポリエステル繊維の含有率については、アセテート繊維の風合い、鮮明性、光沢を生かし、かつ本発明の脂肪族ポリエステル繊維の導電性を生かすために、０．１〜５０重量％が好ましい。
【００７１】
これら各種の混用した織物、編物、あるいは不織布について、本発明の脂肪族ポリエステル繊維の形態、混用方法については特に制限されるものではなく、公知の方法を用いることができる。例えば、混用方法としては経糸または緯糸に用いる交織織物、リバーシブル織物等の織物、トリコット、ラッセル等の編物などが挙げられ、その他交撚、合糸、交絡を施してもよい。
【００７２】
本発明の脂肪族ポリエステル繊維を少なくとも一部にあるいは全部に用いた織物、編物あるいは不織布は、前述の混用したものも含め、染色されていてもよく、例えば製編、製織後あるいは不織布の場合はウェブを形成し前述の接合あるいは接着方法により形成されたあと、常法により精練、プレセット、染色、ファイナルセットの過程をとることが好ましい。また、本発明の脂肪族ポリエステル繊維は導電剤を含有する脂肪族ポリエステルおよび芳香族ポリエステルからなるが、必要な範囲に応じて、精練後、染色前に常法によりアルカリ減量処理されていても良い。本発明は脂肪族ポリエステルを繊維の構成成分として含有するが、該脂肪族ポリエステルはアルカリ減量処理における減量速度が、従来用いられているようなＰＥＴ系ポリマーやＰＢＴ系ポリマーなどと比較して非常に大きいため、減量処理にかける時間やアルカリ成分（水酸化ナトリウムや、水酸化カリウムなど）の水溶液濃度には十分注意する必要がある。なお精練は４０〜９８℃の温度範囲で行うことが好ましい。特にストレッチ繊維との混用の場合には、布帛をリラックスさせながら精練することが弾性を向上させるのでより好ましい。染色前後の熱セットは一方あるいは両方共省略することも可能であるが、織物、編物あるいは不織布の形態安定性、染色性を向上させるためには両方行うことが好ましい。熱セットの温度としては、１２０〜１９０℃、好ましくは１４０〜１８０℃の本発明の趣旨を損ねない温度である必要があるが、熱セット時間としては１０秒〜５分、好ましくは、２０秒〜３分である。
【００７３】
本発明の脂肪族ポリエステル繊維は導電性に優れることから繊維そのものとしても非常に有用で、繊維をそのまま長繊維として使用することができるが、繊維の一形態として前述のとおり、０．０５〜１５０ｍｍの長さの短繊維として用いられる。該短繊維はフィラメントを１つの糸条単独であるいは複数の糸条を束ねたトウになして切断されてなるものであり、特に０．１〜１０ｍｍの長さの短繊維としたものは、例えば電気植毛加工や吹きつけ加工などの多種多様な方法によって、基盤に接着して植設されてなる植毛体とすることができる。電気植毛加工により植設された繊維は、その５０％以上が基盤に対し１０度から垂直（すなわち９０度）の概ね直立状態に接着される。ここで、該植毛体となす場合に用いる短繊維には、本発明の脂肪族ポリエステル繊維からなる短繊維以外に、本発明の繊維ではない他の繊維からなる短繊維を混用して植設しても良い。また、該植毛体は、基盤に短繊維を接着して植設してなるものであるが、接着する場合には例えばアクリル系、ウレタン系、またはエステル系の接着剤を用いて接着されることが好ましい。ここで接着剤の層の厚さは１〜５００μｍであることが好ましく、単層あるいは必要に応じて、複数種の接着剤を混合してもしくは複数層に分けて用いても良い。また、植設される基盤としては特に制限されるものではなく、前記植毛体を組み込む装置や用いる接着剤に応じて適宜採用すればよいが、合成樹脂、天然樹脂、合成繊維、天然繊維、木材、鉱物あるいは金属からなるフィルム、シート、紙、板、布帛などが好適に採用でき、あるいは各種用途の部材そのものである金属加工体、合成もしくは天然樹脂加工体もしくは成形体の基盤に直接植毛しても良い。ここで特に前記接着剤との親和性を高めるために、親水化処理してなる合成もしくは天然樹脂あるいは金属からなるシートが好ましい。そして該基盤が前記フィルム、シート、紙、板、布帛など表裏を形成している素材であれば用途あるいは目的に応じてその表面および裏面の両面に植設することができる。該植毛体は、その使用方法あるいは用途として、例えば導電性を有するため導電性のブラシローラーとして用いることができる。
【００７４】
本発明の脂肪族ポリエステル繊維を少なくとも一部に用いてなる前述の織物、編物あるいは不織布は、基盤に接着してなる布帛複合体とすることができる。この場合、織物であればパイル織りあるいは処理により織物表面に起毛や糸端があるもの、また、編物であればパイル状の繊維起毛があるものもしくは起毛処理してパイルあるいは糸端が編物表面にあるものが後述するブラシローラーにおいてより機能が高められる場合があり好ましい。接着する場合には例えばアクリル系、ウレタン系、またはエステル系の接着剤を用いて接着されることが好ましい。ここで接着剤の層の厚さは１〜５００μｍであることが好ましく、単層あるいは必要に応じて、複数種の接着剤を混合してもしくは複数層に分けて用いても良い。また、接着される基盤としては特に制限されるものではなく、該布帛複合体を組み込む装置や用いる接着剤に応じて適宜採用すればよいが、合成樹脂、天然樹脂、合成繊維、天然繊維、木材、鉱物あるいは金属からなるフィルム、シート、紙、板、布帛などが好適に採用でき、あるいは各種用途の部材そのものである金属加工体、合成もしくは天然樹脂加工体もしくは成形体の基盤に直接接着しても良い。ここで特に前記接着剤との親和性を高めるために、親水化処理してなる合成もしくは天然樹脂あるいは金属からなるシートが好ましい。そして該基盤が前記フィルム、シート、紙、板、布帛など表裏を形成している素材であれば用途あるいは目的に応じてその表面および裏面の両面に前述の織物、編物あるいは不織布を接着して布帛複合体となすことができる。該布帛複合体は、その使用方法あるいは用途として、例えば導電性を有するため導電性のブラシローラーとして用いることができる。
【００７５】
本発明の脂肪族ポリエステル繊維は、安定した導電性を有しかつ所望の抵抗率に制御することが可能であることから、一定の電圧を印可した際に微弱な電流を流すことが可能である。これを利用して、微弱な電流で信号を送られて制御・駆動されるアクチュエーターを形成する。アクチュエーターは自分自身が動くように本発明の脂肪族ポリエステル繊維を駆動部分に用いるよう設計可能であるし、あるいは別の物を運搬するものであっても良い。このときに繊維の長さについては、長繊維（フィラメント）であっても前述のような短繊維であっても良い。該アクチュエーター中で、本発明の脂肪族ポリエステル繊維は、具体的に、例えば人間の筋肉と同じで微弱な電流を信号として伝達することができるため、アクチュエーターの回路の１部として用いることができる。
【００７６】
本発明の脂肪族ポリエステル繊維は、少なくとも一部あるいは全部に用いてなる衣料となる。このときに繊維の長さについては、長繊維（フィラメント）であっても前述のような短繊維であっても良い。衣料となした場合に例えば導電性に優れることで冬季あるいは乾燥時の静電気発生を抑制することができるなど、より快適な着心地となるし、あるいは埃を寄せ付けにくいことから手術衣あるいは半導体製造時の作業衣など防塵衣料を形成しうる。その際には、本発明の脂肪族ポリエステル繊維を全部に用いて衣料となしても良いし、あるいは少なくとも一部、例えば衣料をなす織物の数本ごとにタテ糸および／またはヨコ糸として用いることが好ましい。また、副次的な効果として導電剤が含有されていることで例えばカーボンブラックや金属酸化物などでは繊維の熱伝導性が向上し、着衣時に瞬時に熱を奪う接触冷感素材やあるいは冬季に寒い外部から暖かい室内に入った時すぐに体が温まる温感素材などとしても利用できる。
【００７７】
本発明の脂肪族ポリエステル繊維は、少なくとも一部あるいは全部に用いてなる発熱体となる。このとき、繊維の長さについては、長繊維（フィラメント）であっても前述のような短繊維であっても良い。発熱体となした場合に本発明の脂肪族ポリエステル繊維は導電性に優れ、しかも必要とする平均抵抗率［Ω／ｃｍ］に設計することが可能であるため、印可電圧、ターゲットとする温度、などに応じた発熱体としうる。一定の電圧をかけることで本発明の脂肪族ポリエステル繊維は抵抗体として機能し、発熱する。発熱体を設計する際には、例えばごく少量の温度上昇でよい場合には本発明の繊維を数本ごとにタテ糸および／またはヨコ糸として用いることが好ましい。または暖めるべき場所が面状である必要が生じる時には、本発明の脂肪族ポリエステル繊維を経糸あるいは緯糸に用いるときに繊維の本数を増やせば面状で温度が上がりやすくなり、極限には、経糸および緯糸の全てに本発明の脂肪族ポリエステル繊維を用いて織物を形成すればよい。なお織物ではなく編物であっても良い。発熱体としては１００Ｖの電圧を繊維の両端あるいは織物の両端に印可した場合に、０．１℃／分以上の昇温速度を示すものであれば発熱体として利用可能であって、０．５℃／分以上であることが好ましく、１℃／分以上の昇温速度で昇温されるものが特に好ましく発熱体として用いられうる。
【００７８】
本発明の脂肪族ポリエステル繊維を用いてなる前記織物および／または編物および／または不織布は、少なくとも一部に用いるかあるいは全部に用いることにより棒状物体に接着して、ブラシローラーを形成できる。ここで用いられる織物および／または編物および／または不織布は、棒状物体に接着する際に、棒状物体の機能的に必要とされる長さ（すなわち巻き幅）分だけカットしたものを一周で巻き付け接着しても良く、あるいは棒状物体の長さの数分の一〜数十分の一の長さの幅にスリット状にカットしたものを棒状物体にスパイラル状に巻き付けて接着しても良い。ここで用いられる接着剤は、用いられる用途あるいは目的に応じて適宜採用すれば良く、アクリル系、エステル系あるいはウレタン系など種々のものを採用でき、また、必要に応じて接着剤中に導電性のカーボンブラックやカーボンナノチューブ、ＶＧＣＦ、あるいは金属、金属酸化物などの導電剤あるいは磁性制御剤などが添加されていても良い。ここで接着剤の層の厚さは１〜５００μｍであることが好ましく、単層あるいは必要に応じて、複数種の接着剤を混合してもしくは複数層に分けて用いても良い。さらに前記織物および／または編物および／または不織布は接着される以前の段階で接着面に１０２〜１０１０Ω・ｃｍの比抵抗を有する導電処理剤もしくは導電性シートあるいは導電性膜などの素材を張り合わせてもよい。
【００７９】
本発明の脂肪族ポリエステル繊維を用いてなる前記短繊維は、少なくとも一部に用いるかあるいは全部に用いることにより棒状物体に接着して植設されてブラシローラーを形成できる。ここで用いられる短繊維は、棒状物体に接着して植設される際に、気体により短繊維を吹きつけても良くあるいは電気植毛加工を行っても良いが、棒状物体の表面に概ね直立したものが効率よく得られることから電気植毛加工により得られることが好ましい。このとき短繊維は、その５０％以上が棒状物体の表面において１０度から垂直（すなわち９０度）の概ね直立状態に接着される。ここで、本発明の目的を損ねない範囲で、用いる短繊維には本発明の脂肪族ポリエステル繊維からなる短繊維以外に、本発明の脂肪族ポリエステル繊維ではない他の繊維からなる短繊維を混用して植設しても良い。また、接着して植設する際の接着剤は特に制限されるものではなく、例えばアクリル系、ウレタン系、またはエステル系の接着剤が用途あるいは目的に応じて種々選択されて用いられ、ここで接着剤の層の厚さは１〜５００μｍであることが好ましく、単層あるいは必要に応じて、複数種の接着剤を混合してもしくは複数層に分けて用いても良い。また、本発明の脂肪族ポリエステル繊維からなる短繊維を少なくとも一部に用い、棒状物体に接着して植設してなる前記ブラシローラーのブラシローラー自体の比抵抗値は１０２〜１０１１［Ω・ｃｍ］であることが好ましい。
【００８０】
前述の棒状物体の芯となる主たる材質は、用いられる用途あるいは目的に応じて適切なものを採用すれば良く、金属、合成樹脂、天然樹脂、木材、鉱物などから単独で、もしくは複数種を組み合わせて選ばれるが、後述する電子写真装置に組み込む部材として用いる場合には、主として金属からなることが好ましい。さらに該棒状物体が金属である場合には、該金属の少なくとも一部もしくは必要とする部分の全面を中間層が覆い、その上に前記織物および／または編物および／または不織布が接着されるか、あるいは短繊維が接着して植設されることが好ましい。この中間層として用いられる素材は主としてクッション性を棒状物体に付与する、あるいはブラシ状の繊維の弾性・剛性のみでは達成し得ない場合に補助的に弾性・剛性を担うものであり、後述される例えば清掃装置におけるトナー除去性能、あるいは現像装置におけるトナー付与性能を格段に向上せしめる。そして特に制限されるものではないものの、該中間層には例えばウレタン系素材、エラストマー素材、ゴム素材あるいはエチレン−ビニルアルコール系素材などが好適に用いられる。そして該中間層の厚みは０．０５〜１０ｍｍであることが好ましく、更に必要に応じて前述の導電剤あるいは磁性制御剤が添加されていても良い。
【００８１】
本発明の脂肪族ポリエステル繊維を用いてなる前記織物および／または編物および／または不織布を少なくとも一部に用い、棒状物体に接着してなるブラシローラー、あるいは前記短繊維を少なくとも一部に用い、棒状物体に接着して植設されてなるブラシローラーは、用いている本発明の脂肪族ポリエステル繊維の導電性に由来して、例えば電子写真装置の中に組み込まれている清掃装置の部材として好適に用いられる。ここで該清掃装置に用いられるブラシローラー用の繊維の平均抵抗率Ｐは、１．０×１０３［Ω／ｃｍ］以上１．０×１０８［Ω／ｃｍ］以下、または１．０×１０９［Ω／ｃｍ］以上１．０×１０１２［Ω／ｃｍ］以下の範囲のものが好適に、かつ清掃装置の機構に応じて用いられる。清掃装置の中で該ブラシローラーは回転しながら、必要であれば電気を印可されながら、不要物（例えば電子写真装置の中であれば転写されなかった残存着色剤など）を捕捉して除去するのであるが、本発明の脂肪族ポリエステル繊維を用いた場合には前述のとおり、温度および湿度変化がある場合にも安定した導電性能を有する繊維であることから、この除去性能が格段に優れるのである。また、該ブラシローラーの清掃装置内での用いられ方としては前述のとおり、感光体にブラシローラーが直接接触して清掃する以外に、感光体を清掃する部材（前記のとおり、ブラシローラーの場合もあれば、あるいは従来技術であればブレード状の部材）を清掃するためのブラシローラーとして、すなわち清掃装置自体を清掃するもの、もしくは回収した不要トナーを別の場所に移送するためのブラシローラーとしても用いられる。また、本発明の清掃装置にはブラシローラーを目的効果、清掃の機構に応じて１本用いてもあるいは２本以上の複数本用いても良い。
【００８２】
本発明の脂肪族ポリエステル繊維を用いてなる前記織物および／または編物および／または不織布を少なくとも一部に用い、棒状物体に接着してなるブラシローラー、あるいは前記短繊維を少なくとも一部に用い、棒状物体に接着して植設されてなるブラシローラーは、用いている本発明の繊維の導電性に由来して、後述する電子写真装置に用いられうる帯電装置に好適に組み込まれて用いられる。該帯電装置に組み込まれるブラシローラーの繊維の平均抵抗率は、好ましくは１．０×１０６［Ω／ｃｍ］以上１．０×１０１０［Ω／ｃｍ］以下の範囲、より好ましくは１．０×１０７［Ω／ｃｍ］以上１．０×１０１０［Ω／ｃｍ］以下の範囲のものが好適に用いられる。該ブラシローラーを用いてなる帯電装置の性能は、ブラシローラーの導電性能、すなわち本発明の脂肪族ポリエステル繊維の性能に依存するが、本来の目的である感光体を均一に帯電できることはもとより電子写真装置内の環境変化、すなわち電子写真装置が稼働中徐々に変化する温度や湿度の変化、あるいは季節による温度、湿度変化に対してブラシローラーの導電性は全く変化しないことが求められる。それに対して本発明の脂肪族ポリエステル繊維は、前述の環境変化に対して導電性は殆ど変化することがないため感光体の帯電斑が起こりにくく、非常に優れた帯電装置となる。加えて該電子写真装置の感光体表面に、清掃が不十分なために残存したトナーがあった場合にも該ブラシローラーはブラシ状であって清掃ローラーを兼ねることができるため、現像あるいは印刷時の汚染が無いもしくは殆ど無いという点でも優れており、さらには電子写真装置を小型化する場合には前記清掃装置および帯電装置を個別に設置することなく清掃装置兼帯電装置として省スペース化を図ることも可能であるため、その点でも格段に優れている。また、本発明の帯電装置中には、目的、機構に応じて前記ブラシローラーを１本あるいは２本以上の複数本用いても良い。
【００８３】
本発明の脂肪族ポリエステル繊維を用いてなる前記織物および／または編物および／または不織布を少なくとも一部に用い、棒状物体に接着してなるブラシローラー、あるいは前記短繊維を少なくとも一部に用い、棒状物体に接着して植設されてなるブラシローラーは、用いている本発明の脂肪族ポリエステル繊維の導電性に由来して、現像装置に好適に組み込まれて用いられる。現像装置は後述の電子写真装置においては、前記帯電装置により一様に帯電された感光体表面にレーザーによって描かれた潜像を顕像化するものであるが、前述のような電子写真装置内の環境変化に対してもブラシローラーの抵抗率変化が無いので、顕像化するためのトナーが均一に感光体に供給され顕像化するので、得られた現像物あるいは印刷物は汚染あるいは印刷斑の無いもしくは殆ど無い美しいものとなるため格段に優れている。
【００８４】
本発明の脂肪族ポリエステル繊維からなる前記織物および／または編物および／または不織布を少なくとも一部に用い、棒状物体に接着してなるブラシローラーあるいは前記短繊維を少なくとも一部に用い、棒状物体に接着して植設されてなるブラシローラーは、用いている本発明の脂肪族ポリエステル繊維の導電性に由来して、後述する電子写真装置に用いられうる除電装置に好適に組み込まれて用いられる。該除電装置に組み込まれるブラシローラー用の繊維の平均抵抗率は１．０×１０３［Ω／ｃｍ］以上１．０×１０１２［Ω／ｃｍ］以下の範囲のものが好適に用いられる。特に後述する電子写真装置に用いる際には、ブラシローラーに用いられる本発明の脂肪族ポリエステル繊維が安定かつ斑のない除電効果を発現し、通常、除電装置のあとに配設される前記清掃装置での清掃効果をより高めることが可能であるほか、該電子写真装置を小型化する場合には該ブラシローラーを用いることで除電装置兼清掃装置として組み込むことができ格段に優れている。
【００８５】
本発明の脂肪族ポリエステル繊維を用いてなる前記清掃装置および／または帯電装置および／または現像装置および／または除電装置を用いてなる電子写真装置、具体的にはレーザービームモノクロプリンター、レーザービームカラープリンター、モノクロ複写機、カラー複写機、モノクロまたはカラーファクシミリあるいは多機能型複合機、ワードプロセッサーなどを挙げることができるが、帯電した感光体にレーザーで潜像を描きトナーを用いて顕像化するメカニズムにより現像あるいは印刷を行う装置は、前述のとおり、本発明の脂肪族ポリエステル繊維を用いていることから、電子写真装置内の環境変化、特に温度や湿度変化によらず安定した清掃・帯電・現像・除電性能を有し、得られた印刷あるいは現像物はモノクロの場合はもとより、複数種のトナーをかつ多量に用いるカラーの場合は特に非常に美しいものとなるし、さらには電子写真装置の駆動速度をより高める、すなわち単位時間あたりの印刷あるいは現像速度（枚数）を高めることが可能となる。また、本発明の脂肪族ポリエステル繊維を用いてなる電子写真装置は、前述のとおり、更なる小型化、省スペース化、省電力化を図ることができ、非常に好ましい。
［本発明の繊維および繊維製品］
本発明の脂肪族ポリエステル繊維を少なくとも一部に用いてなる織物は、前述のとおり、非常に優れた導電性を有する繊維を用いることから、織物全体に該繊維を用いる場合はもとより、織物の一部に該繊維を用いた場合であっても優れた導電性能あるいは電気を逃がすことのできる性能（換言すれば静電性能）を有する織物となるため、各種資材用途、例えば幕やカーテン、人体の静電気が発生しやすい自動車、鉄道、航空機など乗り物のシート、壁材や敷物、布団、毛布、敷布などの寝具などに用いることができ優れている。
【００８６】
本発明の脂肪族ポリエステル繊維を少なくとも一部に用いてなる編物は、前述の織物と同様に導電性能あるいは静電性能を有する編物となるため各種資材用途、例えば建物の壁材や絨毯などの敷物、自動車、鉄道航空機などの乗り物のシート、壁材、敷物乗り物用シートあるいはその敷物、布団、毛布、敷布などの寝具などに用いることができ優れている。
【００８７】
本発明の脂肪族ポリエステル繊維を少なくとも一部に用いてなる不織布は、前述の織物や編物と同様に導電性あるいは静電性能を有する不織布となるため、前述の織物や編物の用途と同様の資材として用いることができるほかに、厚みが必要な、例えば隔壁材や梱包物、クッションなど静電気の発生を嫌う装置、部屋の周辺部材用資材として広く用いることができ優れている。
【００８８】
そして本発明の脂肪族ポリエステル繊維からなる短繊維や、織物、特にパイル織物や編物あるいは不織布の更に別の用途としては、これらを用い、基盤に植設することで、植毛体あるいは布帛複合体となすことができる。これら植毛体あるいは布帛複合体は、導電性あるいは制電性に優れることから手触りの優れるものとして様々な内装材となりうる。
【００８９】
そして本発明の脂肪族ポリエステル繊維あるいは本発明の脂肪族ポリエステル繊維からなる短繊維は導電性に優れることから配線物を形成することができ、例えば各種動作をする例えば微弱な電気で反応しうる人工筋肉のようなアクチュエーターの回路の一部として用いることもできる。あるいは配線物から発熱体を形成することができ、これは、導電性に優れかつ導電性斑の小さな本発明の繊維を用いていることから、所望の導電性能に制御したものを用いるだけで、発熱効率の良い発熱体が得られ優れている。また、該発熱体を使用するであろう主に冬季においては低温低湿度であるが、本発明の脂肪族ポリエステル繊維は、温湿度依存性がないもしくは非常に小さいことから、冬季においても安定した導電性能を発揮し、非常に優れた発熱体となる。
【００９０】
本発明の脂肪族ポリエステル繊維を少なくとも一部に用いてなる衣料は、導電性に優れた繊維を用いることから、着衣時の静電気発生を抑制し、体外に逃がすことができるため、特に静電気の発生を嫌う半導体産業の作業着やあるいは静電気が発生しがたいことから埃を寄せ付けないため防塵衣として用いた場合に有用であるほか、導電剤が例えばカーボンブラックや金属、あるいは金属酸化物である場合には熱伝導性に優れるため、体外に熱を放散することができる接触冷感衣類や、あるいは逆に冷えた身体にすぐに体外からの熱を取り込みうる接触温感衣類などとして、例えばこれらの機能を必要とされるスポーツ衣料（ゴルフウェア、ゲートボール、野球、テニス、サッカー卓球、バレーボール、バスケットボール、ラグビー、アメリカンフットボール、ホッケー、陸上競技、トライアスロン、スピードスケート、アイスホッケーなどのユニフォーム）や幼児、婦人、年輩者の衣料、その他にもアウトドア衣料（靴、カバン、サポーター、靴下、登山着）などに好適に用いることができる。
【００９１】
本発明の脂肪族ポリエステル繊維からなる前記織物および／または前記編物および／または前記不織布を少なくとも一部に用いて接着してなるブラシローラーは、導電性を有する繊維を少なくとも一部に用いることから電気的作用を利用することで効率的に不要物を除去あるいは必要とされる物質を付与する機能を有するため優れている。
【００９２】
本発明の脂肪族ポリエステル繊維からなる前記短繊維を用いてなるブラシローラーは、導電性を有する繊維を少なくとも一部に用いることから、前述と同様に電気的作用を利用することで効率的に不要物を除去あるいは必要とされる物質を付与する機能を有するほかに、短繊維の繊維長を制御することでブラシローラーの繊維植設密度あるいはブラシローラーの前記除去性能あるいは付与性能を目的に応じて容易に制御できるため優れている。特に植設される棒状物体が主として金属からなる場合は、本発明の脂肪族ポリエステル繊維の導電性を制御することでブラシローラー自体の導電性（比抵抗値）を制御可能であるし、さらには棒状物体が金属および金属の少なくとも一部を覆う中間層とからなる場合には中間層の材質や厚さなどを制御することでクッション性を付与しうるため、ブラシローラー自体の前記除去性能あるいは付与性能を格段に向上せしめることができ優れている。
【００９３】
本発明の前記ブラシローラーを用いてなる清掃装置は、ブラシローラー自体が回転することで不要物を除去し清掃する場合には非常に除去性能に優れる。例えば後述の電子写真装置などではトナーなどを電気的に除去しうる際に電子写真装置内の環境変化、特に湿度変化などがあった場合にもブラシローラーの導電性能が変動することがないため、常に安定した除去性能を有しており優れている。また、本発明の前記ブラシローラーは該清掃装置に於いて、対象となる物質、例えば後述の電子写真装置においては感光体に直接接触して清掃を行うほかにも、清掃活動を行う部材自身から不要物を除去して清掃装置自体を清掃するための部材としても有用であり、結果的に高性能な清掃装置となる。
【００９４】
本発明の前記ブラシローラーを用いてなる帯電装置は、ブラシローラー自体の導電性（比抵抗値）を制御することで用いられるもので、例えば後述の電子写真装置などで感光体を一様に帯電させるブラシローラーとして用いられる際に感光体を均一に帯電できることはもとより電子写真装置内の環境変化例えば電子写真装置の稼働中あるいは季節変化による湿度変化に対してもブラシローラー自体の比抵抗値は変化しないもしくは非常に変化が小さいため、感光体の帯電斑が発現しにくいため非常に優れている。加えて該電子写真装置の前記感光体に清掃が不十分なために残存したトナーがあった場合にも該ブラシローラーは清掃ローラーとしての機能を兼ねることができるため、現像あるいは印刷時の汚染がない、もしくは殆どなく優れているほか、電子写真装置を小型化する場合には前記清掃装置および該帯電装置を個別に設置せずに、兼用すなわち清掃装置兼帯電装置として該ブラシローラーのみで適用しうるため非常に優れている。
【００９５】
本発明の前記ブラシローラーを用いてなる現像装置は、前述の帯電装置での効果と同様にブラシローラー自体の導電性を駆使して用いられるもので、例えば後述の電子写真装置等で感光体に描かれた静電潜像にトナーを付着させる際に、前述のような湿度変化などの環境変化の際のブラシローラー自体の比抵抗値斑がない、もしくは殆どないことから、トナーが均一に感光体に供給され顕像化し、得られた現像物あるいは印刷物は汚染のない、もしくは殆どない非常に美しいものとなり優れている。
【００９６】
本発明の前記ブラシローラーを用いてなる除電装置は、繊維中に含有される導電剤の含有量を制御してブラシローラーの導電性（比抵抗値）を小さくすることで、非常に優れた除電性能を有するブラシローラーとなるため有用である。特に後述の電子写真装置に用いる際には、無数の毛（繊維）からなるブラシローラーが安定かつ均一な除電効果を有していることから除電装置のあとに配設される前記清掃装置での清掃効果をより高めることが可能であるほか、該電子写真装置を小型化する場合には該ブラシローラーを用いることで除電装置兼清掃装置として組み込むことができるので優れている。
【００９７】
本発明の脂肪族ポリエステル繊維を用いてなるブラシ（ローラー）が組み込まれた前記清掃装置および／または帯電装置および／または現像装置および／または除電装置を用いてなる電子写真装置、具体的にはレーザービームプリンター、複写機、ファクシミリ、多機能型複合機、あるいはワードプロセッサーなど帯電した感光体にレーザーで潜像を描きトナーを用いて顕像化するメカニズムにより現像あるいは印刷を行う装置は、前述のとおり、電子写真装置内の環境変化によらず安定した清掃・帯電・現像・除電性能を有していることから、得られた印刷あるいは現像物は非常に美しいものとなる。また、前記ブラシローラーの繊維長あるいは含有する導電剤の含有量などを最適化することで、より安定した清掃・耐電・現像・除電性能を有するため、電子写真装置の駆動速度をより高める、すなわち単位時間あたりの印刷あるいは現像速度（枚数）を高めることが可能となり、好ましい。
【００９８】
以下実施例により、本発明を具体的かつより詳細に説明するが、本発明はこれら実施例のみに制限されるものではない。なお実施例中の物性値は以下の方法によって測定した。
【実施例】
【００９９】
Ａ．繊度［ｄｔｅｘ］および単糸繊度［ｄｔｅｘ］の測定
繊維（マルチフィラメント）を長さ１００ｍ分カセ取りし、そのカセ取りした繊維の重量（ｇ）を測定して得た値に１００を掛ける。同様に測定して得た３回の平均値をその繊維の繊度とした。単糸繊度については、前述の繊度をフィラメントを構成する単繊維の本数で割った値を単糸繊度［ｄｔｅｘ］とした。
【０１００】
Ｂ．繊維の初期引張弾性率、残留伸度、破断強度の測定
オリエンテック社製テンシロン引張試験機（ＴＥＮＳＩＲＯＮ  ＵＣＴ−１００）を用い、未延伸糸であれば初期試料長５０ｍｍ、引張速度４００ｍｍ／分で、延伸糸であれば初期試料長２００ｍｍ、引張速度２００ｍｍ／分でそれぞれ初期引張弾性率（延伸糸のみ）、強度および残留伸度を測定し、５回測定した平均値をそれぞれの測定値とした。初期引張弾性率は、チャート紙にチャート速度１００ｃｍ／分、応力フルレンジ５００ｇとして記録して、引張初期の曲線の傾きから求めた。
【０１０１】
Ｃ．平均抵抗率Ｐの測定および抵抗率の標準偏差Ｑと、平均抵抗率Ｐと抵抗率の標準偏差Ｑとの比Ｒ（Ｒ＝Ｑ／Ｐ）の算出
中温中湿度（２３℃湿度５５％）で測定すべき試料を少なくとも該雰囲気中に１時間保持した後、測定した。送糸ローラーと巻取ローラーからなる１対の鏡面ローラーで糸を走行させる際に、ローラー間に、東亜ＤＫＫ（株）製絶縁抵抗計ＳＭ−８２２０に接続された２本の棒端子からなるプローブに走行糸が接するように設置した装置で、棒の太さφ５ｍｍ、棒端子間で接する糸の端子間測定長２．０ｃｍ、印可電圧１００Ｖ、送糸速度１００ｃｍ／分、ローラー間の糸張力が０．０５〜０．１ｃＮ／ｄｔｅｘの範囲となるようにして（この範囲であれば測定値に差はない）、絶縁抵抗計でのサンプリングレート０．２秒で２００ｃｍの長さ分、抵抗値を測定して、得られた値の平均抵抗値［Ω］を棒端子間で接する糸の距離（２．０ｃｍ）で割った値を平均抵抗率Ｐ［Ω／ｃｍ］とした。また、同時に得られた全ての値に対する標準偏差Ｑを算出し、平均抵抗率Ｐと抵抗率の標準偏差Ｑとの比Ｒ（Ｒ＝Ｑ／Ｐ）を算出した。
【０１０２】
Ｄ．中温中湿度（２３℃湿度５５％）での平均抵抗率Ｘと低温低湿度（１０℃湿度１５％）での平均抵抗率Ｙとの平均抵抗率の比Ｚ（Ｚ＝Ｙ／Ｘ）（温湿度変化Ｚ）
中温中湿度についてはＣ．項の測定方法を採用し、また、低温低湿度においてもＣ．項と同様に測定して平均抵抗率を求め、それぞれ得た平均抵抗率Ｘ，Ｙの比Ｚ（Ｚ＝Ｙ／Ｘ）を求めた。
【０１０３】
Ｅ．比抵抗値の測定方法
測定は前記中温中湿度で測定すべき試料を少なくとも該雰囲気中に１時間保持した後、測定した。測定物が長さ１００ｍｍ以上の繊維状のものである場合には、繊維束を１０００ｄｔｅｘの束にして５０ｍｍの長さに切断し（この時、繊維端面は斜めにカットする）、端面に導電性ペーストを塗布してから電極を取り付けて５００Ｖで測定した。また、測定物が長さ１００ｍｍ未満の繊維状物あるいは粉体状のものである場合は、長さ１０ｃｍ、幅２ｃｍ、深さ１ｃｍの、両端面に電極を有する絶縁体の箱形容器に、５０ｋｇｆ／ｃｍ２の圧力で充填して密封したのち５００Ｖで測定して、単位体積当たりの比抵抗値［Ω・ｃｍ］に換算して求めた。ガット状のものについては、１回の測定において、直径Ｄ（０．２〜０．３ｃｍの範囲の直径のもの）で長さ１２ｃｍのガットについて、テスターを用いてテスターの２本の端子を任意の１０ｃｍの間隔でガットに押しつけ、その抵抗値Ｒ［Ω］を測定し、（比抵抗値）＝Ｒ×（Ｄ／２）２×π／１０の式から該ガットの比抵抗値を求めた。そして５本の異なるガットについて各々１回ずつ比抵抗値を測定し、５回の平均値を比抵抗値とした。
【０１０４】
Ｆ．溶融粘度の測定
（株）東洋精機社製キャピログラフ１Ｂを用い、窒素雰囲気下、バレル径９．５５ｍｍ、ノズル長１０ｍｍ，ノズル内径１ｍｍで、ポリマー押出ピストン速度１ｍｍ／分（剪断速度１２．１６ｓｅｃ−１）あるいは１００ｍｍ／分（剪断速度１２１６ｓｅｃ−１）で、サンプル充填直後から１０分経過したのち測定した。５回測定した値の平均値を各剪断速度での溶融粘度とした。
【０１０５】
Ｇ．１６０℃大気中で１５分間の収縮率（乾熱収縮率）の算出
延伸糸１ｍの輪を５本枷取りした束にクリップを１つ留め、束の長さＬ１を測る（この時、約５００ｍｍの長さ）。次に１６０℃の大気中にゆっくりと下ろして１５分間静置し、１５分後に取り出して１時間以上風乾する。風乾したのち再度束の長さＬ２を測定する。収縮率（％）を下式で算出する。
乾熱収縮率（％）＝｛（Ｌ１−Ｌ２）÷Ｌ１｝×１００
Ｈ．ガラス転移点（Ｔｇ）および融点（Ｔｍ）の測定
パーキンエルマー社製示差走査熱量分析装置（ＤＳＣ−２）を用いて試料１０ｍｇで、昇温速度１６℃／分で測定した。Ｔｍ、Ｔｇの定義は、一旦昇温速度１６℃／分で測定した際に観測される吸熱ピーク温度（Ｔｍ１）の観測後、約（Ｔｍ１＋２０）℃の温度で５分間保持した後、室温まで急冷し、（急冷時間および室温保持時間を合わせて５分間保持）、再度１６℃／分の昇温条件で測定した際に、段状の基線のずれとして観測される吸熱ピーク温度をＴｇとし、結晶の融解温度として観測される吸熱ピーク温度をＴｍとした。
【０１０６】
Ｉ．短繊維の繊維長の測定
長さ２０ｍｍ以上の短繊維は０．１ｇ／ｄｔｅｘの荷重をかけてノギスを用いて、また、２０ｍｍ未満の短繊維はＮＩＰＰＯＮ  ＫＯＧＡＫＵ  Ｋ．Ｋ製ＳＨＡＤＯＷ  ＧＲＡＰＨ  Ｍｏｄｅｌ６を用いて２０倍で、短繊維５０本の長さを測定し、その平均値を繊維長とした。
【０１０７】
Ｊ．カーボンナノチューブ（ＣＮＴ）の直径Ｄ、および該Ｄと長さＬの比（アスペクト比）Ｌ／Ｄの測定、導電剤の平均粒径の測定
ＣＮＴをそのまま繊維エポキシ樹脂中に包埋したブロック（以下ＣＮＴブロック）、あるいは繊維中に存在するＣＮＴであればその繊維をエポキシ樹脂中に包埋したブロック（以下繊維ブロック）を、ウルトラミクロトームにて、ＣＮＴブロックであれば任意の場所をそのまま切削してＣＮＴの超薄切片を、繊維ブロックであれば繊維軸方向と平行方向に繊維中心付近を切削して単繊維縦断面の超薄切片を、各々作製し、透過型電子顕微鏡（ＴＥＭ）観察装置（日立製作所製  Ｈ−７１００ＦＡ型）にて、加速電圧７５ｋＶで、倍率１０万〜５０万倍の任意の倍率で観察を行った。観察においてデジタル化した写真として得て、該写真上で任意のＣＮＴを１００本選び、ＣＮＴの直径Ｄおよび長さＬを三谷商事株式会社製ＷｉｎＲＯＯＦにおいて画像解析することによって測定し、各々のＣＮＴのＤ，およびＬ／Ｄを算出して１００本の平均値を求め、その平均値で、ＣＮＴの平均直径Ｄ、およびアスペクト比Ｌ／Ｄとした。また、導電剤の平均粒径についても、ＣＮＴと同様の装置および倍率で観察を行い、導電剤粒子１００個を選び、これら１００個の平均粒径を三谷商事株式会社製ＷｉｎＲＯＯＦにおいて画像解析することによって求めた。
【０１０８】
Ｋ．単繊維直径の測定
ＦＥＩ  Ｃｏｍｐａｎｙ社製  走査型電子顕微鏡（ＳＥＭ）  ＳＴＲＡＴＡ  ＤＢ２３５を用いて、加速電圧２ｋＶで、白金−パラジウム蒸着（蒸着膜圧：２５〜５０オングストローム）処理を行った後、繊維外径が全て視野に入る倍率（単繊維直径が２５μｍ〜５０μｍであれば５千倍、１５μｍ〜２５μｍであれば１万倍、５μｍ〜１５μｍであれば２万倍）で確認した。なおこの際、単繊維直径は少なくとも該測定を同一繊維において３ｃｍ以上の間隔をおいた任意の５点について観察、測定して得た平均値を単繊維直径とする。
【０１０９】
Ｌ．数平均分子量の測定
Ｗａｔｅｒｓ社製ゲルパーミエーションクロマトグラフィー２６９０を用い、次の条件で測定した。カラム：Ｓｈｏｄｅｘ  ＧＰＣ  Ｋ−８０５Ｌ（８ｍｍＩＤ＊３００ｍｍＬ）２本連結使用，溶媒：クロロホルム（和光純薬工業株式会社製、高速液体クロマトグラム用），温度：４０℃，流速：１ｍＬ／分，試料濃度：１０ｍｇ／４ｍＬ，濾過：マイショリディスク０．５μ−ＴＯＳＯＨ，注入量：２００μＬ，検出器：示差屈折計ＲＩ（Ｗａｔｅｒｓ２４１０），スタンダード：ポリスチレン（濃度：サンプル０．１５ｍｇ／溶媒１ｍＬ），測定時間：４０分。
【０１１０】
Ｍ．繊維中の導電剤を含有する脂肪族ポリエステルの割合の算出
割合を算出する繊維のフィラメントをエポキシ樹脂中に包埋したブロックを、ミクロトームにて繊維軸方向に垂直な繊維横断面方向に切削して薄切片をつくり、光学顕微鏡２００倍で透過光で観察・撮影したのち、得られた繊維横断面写真について、前述三谷商事株式会社製ＷｉｎＲＯＯＦにおいて導電剤を含有する脂肪族ポリエステル部分と、ほかのポリマー成分との面積を画像解析することによってそれぞれ求めて割合を算出した。
【０１１１】
Ｎ．導電剤の脂肪族ポリエステル中における含有量
導電剤を含有する樹脂組成物、あるいは導電剤を含有した脂肪族ポリエステルのみからなる繊維で導電剤の含有量を求める場合は、（株）日立ハイテクノロジーズ社の分光光度計Ｕ−３０１０を用いて、あらかじめ導電剤の濃度が判っている、異なる濃度の溶液（脂肪族ポリエステルを溶解する溶媒；例えばポリ乳酸であればクロロホルム）５種類を用いて検量線を作成した後、導電剤を含有した脂肪族ポリエステル中での導電剤の含有量を求めた。複合繊維である場合は、前述Ｍ．項で求めた脂肪族ポリエステルの割合から、脂肪族ポリエステル中における導電剤の含有量を算出した。溶媒に溶けないもしくは溶けにくい脂肪族ポリエステルの場合は、１Ｎの水酸化ナトリウム水溶液３０℃で２４時間撹拌して、遠心分離したのち、導電剤の量を秤量して求めた。
【０１１２】
O．高温耐熱性の評価
得られた繊維を緯糸および経糸の両方に用いた織物を作製し、該織物からなる１０ｃｍ×１０ｃｍの試験片を６つ作成し、１００℃，１２０℃，１４０℃，１６０℃，１８０℃，２００℃の温度でそれぞれの試験片にアイロンをそれぞれ当てて、目視による織物の外観変化（収縮あるいは溶融）が生じる温度を耐熱限界温度として求めた。収縮は３％以上縮んだ場合に収縮と見なした。そして高温耐熱性を評価するにあたり、外観変化が生じた温度として、１４０℃以下を高温耐熱性が悪い（×）、１６０℃で高温耐熱性がやや劣る（△；使用には耐えうる）、１８０℃で高温耐熱性が良好（○）、２００℃で初めて外観変化が生じる、あるいは２００℃でも外観変化が生じない場合、高温耐熱性が優れる（２重丸）とした。
【０１１３】
比較例１
（ポリエチレンテレフタレートの製法、カーボンブラックを添加したポリエチレンテレフタレートの調製、繊維の製造）：テレフタル酸１６６重量部とエチレングリコール７５重量部からの通常のエステル化反応によって得た低重合体に、着色防止剤としてリン酸８５％水溶液を０．０３重量部、重縮合触媒として三酸化アンチモンを０．０６重量部、調色剤として酢酸コバルト４水塩を０．０６重量部添加して重縮合反応を行い、通常用いられるＩＶ０．６６、溶融粘度１２６［Ｐａ・秒］（測定温度２９０℃、１２．１６ｓｅｃ−１、融点（Ｔｍ）２５６℃）のポリエチレンテレフタレート（以下ＰＥＴ）のペレットを得た。
このＰＥＴペレットを１５０℃１０時間真空乾燥した後、窒素雰囲気下で粉粒体とした後、２軸エクストルーダ（軸長Ｌ／軸径Ｄ＝４５）を用いて溶融混練する前に、窒素雰囲気下でカーボンブラックとしてキャボット・スペシャルティ・ケミカルズ・インク社製ファーネスブラック（タイプＶＵＬＣＡＮ  ＸＣ７２、比抵抗０．４５［Ω・ｃｍ］、平均粒径３１ｎｍ、以下ＦＣＢ）を粉体同士で混ぜ合わせた後、溶融して該２軸エクストルーダで混練した。ここでＦＣＢは混練終了後に得られるＰＥＴとＦＣＢとの樹脂組成物においてＦＣＢが１６重量％となるように調製し、また、２８０℃で混練した。混練した後、吐出されたガット状の樹脂組成物を１５℃の水道水で冷却したのちカッターで切断し、溶融粘度６１８［Ｐａ・秒］（測定温度２９０℃、１２．１６ｓｅｃ−１）のＰＥＴとＦＣＢとの樹脂組成物（以下ＰＥＴ−ＦＣＢ）のペレットを得た。ペレットにしなかった樹脂組成物のガットについて（平均）比抵抗値を測定したところ１０２．２９［Ω・ｃｍ］であった。
このＰＥＴ−ＦＣＢを用いて２軸エクストルーダ（軸長Ｌ／軸径Ｄ＝３５）を備えたエクストルーダ型溶融紡糸機で、紡糸温度２９０℃で孔径が０．３ｍｍ、孔数が２４個の丸形の孔形状の口金および濾層の目の細かさが２０μのフィルタを設置して溶融紡糸を行い、実効成分として１重量％の付着量となるよう水系処理剤（実効成分２０重量％濃度）を付着せしめた後、１５００ｍ／分の引取速度で引き取る溶融紡糸を試みた。しかし１５００ｍ／分の引取速度では断糸が激しく全く引き取りができなかったため５００ｍ／分の引取速度としたがそれでも断糸が激しく、結果として紡糸性は非常に悪いもので巻き取り糸は得られなかった。
【０１１４】
比較例２
（カーボンブラックを含有した脂肪族ポリエステルの調製、繊維の製造）：光学純度９９．５％のＬ−乳酸から製造したラクチドを、ビス（２−エチルヘキサノエート）スズ触媒（ラクチド対触媒モル比＝１００００：１）を存在させて窒素雰囲気下１８０℃でそれぞれ２８０分、４１５分と重合時間を変え、分子量の異なる２種類のポリ乳酸（以下ＰＬＡ−１，ＰＬＡ−２）を得た。引き続いて１８０℃減圧下で脱ラクチド処理した。なお、重合時に安定剤としてＧＥ社製「Ｕｌｔｒａｎｏｘ  ６２６」をラクチド対比０．１５重量％加えた。得られたＰＬＡ−１，ＰＬＡ−２各々の数平均分子量は、それぞれ１５万、２２万でともに融点（Ｔｍ）１７４℃であった。続いてＰＬＡ−１のペレットを１２０℃１０時間真空乾燥した後、比較例１と同様の混練において、２３０℃で混練した以外は同じ装置で同じＦＣＢ種、ＦＣＢ添加量（１６重量％）など同様のものを採用して、溶融粘度８９３［Ｐａ・秒］（測定温度２３０℃、１２．１６ｓｅｃ−１）のＰＬＡとＦＣＢとの樹脂組成物（以下ＰＬＡ−ＦＣＢ１６）のペレットを得た。ペレットにしなかった樹脂組成物のガットについて（平均）比抵抗値を測定したところ１０２．２１［Ω・ｃｍ］であった。
このＰＬＡ−ＦＣＢ１６を用いて比較例１で用いた同じエクストルーダ型溶融紡糸機で、紡糸温度２３０℃とした以外は同様の条件で紡糸実験を行ったところ、１５００ｍ／分の引取速度で全く問題なく総繊度１８３ｄｔｅｘ、フィラメント数２４本の未延伸糸を巻き取って得た。紡糸性に全く問題はなく２４時間の連続紡糸においても全く断糸は見られなかった。
そして得られたマルチフィラメントについて延伸を行うに際し、送糸ローラーの送糸速度３２０ｍ／分、第１ローラーは７０℃で送糸速度３２０ｍ／分、第２ローラーは１１０℃で送糸速度８００ｍ／分、第３ローラーは室温で送糸速度８００ｍ／分として、前述の未延伸糸を３本合糸して、繊維に延伸および熱処理を施した後、冷ローラーで糸をポリエステルのＴｇ以下に冷却した後に巻き取って、繊度２２０ｄｔｅｘ、フィラメント数７２本からなる繊維断面が丸の延伸糸を得た。延伸中にローラーへの単糸巻き付き等の問題は全く発生せず延伸性は優れていた。糸物性について表１に示す。ただし得られた延伸糸の高温耐熱性について評価したところ、１４０℃で織物の収縮および溶融が見られ、高温耐熱性に劣ることが分かった。
【０１１５】
比較例３
２軸エクストルーダ（軸長Ｌ／軸径Ｄ＝３５）を２台備えたエクストルーダ型複合溶融紡糸機で、鞘成分が比較例２で合成したＰＬＡ−２を用いて、また、芯成分が比較例２で合成したＰＬＡ−ＦＣＢ１６からなる、図１に示す芯鞘型の複合繊維を得る複合紡糸を、比較例２と同様の方法で同心の芯鞘複合溶融紡糸を行い、繊維を巻き取って得た。得られた繊維を更に延伸するに際し、比較例２と同様の延伸条件で３本の未延伸糸を合糸して延伸を行って、表１に示す物性を有する、繊維断面が丸の繊維を得た。なおフィラメント数はいずれも７２本であった。比較例２と同様に、導電性および糸物性の優れた繊維ではあったものの、織物の収縮および溶融が見られ、高温耐熱性に劣ることが分かった。
【０１１６】
実施例１〜６および比較例４、５
＜ポリトリメチレンテレフタレート（以下、ＰＴＴ）の製造＞
テレフタル酸ジメチル１３０部（６．７モル部）、１，３−プロパンジオール１１４部（１５モル部）、酢酸カルシウム１水和塩０．２４部（０．０１４モル部）、酢酸リチウム２水和塩０．１部（０．０１モル部）を仕込んでメタノールを留去しながらエステル交換反応を行うことにより得た低重合体に、トリメチルホスフェート０．０６５部とチタンテトラブトキシド０．１３４部を添加して、１，３−プロパンジオールを留去しながら、重縮合反応を行い、チップ状のプレポリマーを得た。得られたプレポリマーを、さらに２２０℃、窒素気流下で固相重合を行い、ＩＶ１．１６、溶融粘度４９７［Ｐａ・秒］（測定温度２６０℃、１２．１６ｓｅｃ−１）、融点（Ｔｍ）２２９℃のＰＴＴペレットを得た。このＰＴＴペレットを溶融紡糸に用いる場合には１５０℃で１０時間真空乾燥して用いた。
＜複合紡糸＞
比較例３と同様に芯鞘複合紡糸を行う際に、芯成分に配置するものとして、ＦＣＢを含有せしめたＰＬＡ−１は、表１の通りにＦＣＢ量（実施例１〜６，比較例４、５）を変更し、鞘成分に前述ＰＴＴを用いて、紡糸温度２６５℃で溶融紡糸を行った以外は、比較例３と同様の製糸条件にて、紡糸工程においては同一吐出量（単位時間あたりに同一の容積量［ｃｃ／分］）となるようにして、また、延伸条件に関しては、第１ローラーを８０℃、第２ローラーを１３０℃とした以外は比較例３と同様にして繊維を得た。導電剤の含有量が増大するにつれ、得られる繊維の物性は、導電性は向上し、一方でその他の物性は低下する傾向にあり、過度のＦＣＢ高濃度（比較例４）では溶融紡糸する前の樹脂組成物の比抵抗値は非常に低く、高い導電性能を有していたものの溶融紡糸で引き取りができなくなった。また、芯成分におけるＦＣＢの濃度が小さい場合（比較例５）は、平均抵抗率が高く、導電性に劣るものであった。糸物性について表１に示す。
【０１１７】
【表１】
2008031567.tif 000003
【０１１８】
実施例７〜１４、比較例６
比較例３と同様に図１のような芯鞘複合糸を得る、芯鞘複合紡糸を行う際に、芯成分に配置するものとして、ＦＣＢを２５重量％（実施例９〜１４）あるいは３５重量％（実施例７，８，比較例６）含有せしめたＰＬＡ−１からなるＰＬＡ−ＦＣＢにして、表２の通りに芯成分（ＰＬＡ−ＦＣＢ）と鞘成分（ＰＴＴ）との複合比率を変更し、紡糸温度２６５℃で溶融紡糸を行った以外は、比較例３と同様の製糸条件にて、紡糸工程においては同一吐出量（単位時間あたりに同一の容積量［ｃｃ／分］）となるようにして、また、延伸条件に関しては、第１ローラーを８０℃、第２ローラーを１３０℃とした以外は比較例３と同様にして繊維を得た。芯成分の割合が増大するにつれ、得られる繊維の物性は、導電性は向上し、一方で高温耐熱性は低下する傾向にあった。そして芯成分が過度に低い場合（比較例６）は、平均抵抗率が高く、導電性に劣るものであった。糸物性について表２に示す。
【０１１９】
【表２】
2008031567.tif 000004
【０１２０】
実施例１５〜２０
＜イソフタル酸共重合ポリエチレンテレフタレート（以下、ＰＥＴ／Ｉ）の製造＞
比較例１において、テレフタル酸１６６重量部の代わりに、テレフタル酸１５０重量部およびイソフタル酸１６重量部を併用した以外は比較例１と同様の方法によりＩＶ０．６５、溶融粘度１１９［Ｐａ・秒］（測定温度２９０℃、１２．１６ｓｅｃ−１、融点（Ｔｍ）２２２℃）のＰＥＴ／Ｉのペレットを得た。このＰＥＴ／Ｉペレットを溶融紡糸に用いる場合には１３０℃で２４時間真空乾燥して用いた。
＜複合紡糸＞
比較例３と同様に図１のような芯鞘複合糸を得る、芯鞘複合紡糸を行う際に、芯成分に配置するものとしてＦＣＢを３５重量％（実施例１５，１８）あるいは３０重量％（実施例１６，１７，１９，２０）含有せしめたＰＬＡ−１からなるＰＬＡ−ＦＣＢにして、表３の通りに芯成分（ＰＬＡ−ＦＣＢ）と鞘成分（実施例１５〜１７：東レ株式会社製ポリブチレンテレフタレート（タイプ１３００Ｓ、融点（Ｔｍ）２２５℃、以後ＰＢＴと称する）、実施例１８〜２０：ＰＥＴ／Ｉ）との複合比率を変更し、実施例１５〜１７は紡糸温度２６５℃で、実施例１８〜２０は紡糸温度２７５℃でそれぞれ溶融紡糸を行った以外は、比較例３と同様の製糸条件にて、紡糸工程においては同一吐出量（単位時間あたりに同一の容積量［ｃｃ／分］）となるようにして、また、延伸条件に関しては、実施例１５〜２０の全ての水準で第１ローラーを８０℃、第２ローラーを１３０℃とした以外は比較例３と同様にして繊維を得た。得られる繊維の物性は、導電性が優れ、また、高温耐熱性も優れていた。糸物性について表３に示す。
【０１２１】
【表３】
2008031567.tif 000005
【０１２２】
実施例２１〜２５
比較例３と同様に図１のような芯鞘複合糸を得る、芯鞘複合紡糸を行う際に、表４の通りに複合紡糸方法（実施例２１，２３は図２のような海島複合紡糸、実施例２２，２４は海島複合紡糸であって島成分が繊維表面に一部露出したもの）や、導電剤種および含有量（実施例２３：ケッチェン・ブラック・インターナショナル社製ケッチェンブラックＥＣ、比抵抗値０．２［Ω・ｃｍ］、平均粒径３１ｎｍ、以後ＫＣＢ，実施例２４：カーボンナノチューブ、以後ＣＮＴ，実施例２５：アンチモン酸化物を含有（ドープ）した錫酸化物をコーティングしてなる酸化チタン粒子、以後白色粒子）、あるいは芯と鞘（もしくは海と島）の複合比率や各導電剤の脂肪族ポリエステル中の含有量をそれぞれ変更した以外は、比較例３と同様の製糸条件にて、紡糸温度２６５℃で、紡糸工程においては同一吐出量（単位時間あたりに同一の容積量［ｃｃ／分］）となるようにして、また、延伸条件に関しては、実施例１と同様の条件（延伸のローラー速度やローラーの温度）にして繊維を得た。ここでＣＮＴの製造は酢酸第１鉄および酢酸コバルトで処理したチタノシリケート粉末をゼオライト触媒として用い、９００℃のアルゴンガス雰囲気下、超高純度アセチレンガスを１０ｍｌ／分で供給することによって得た。導電剤の種類や複合形態が変わっても製糸性や導電性、高温耐熱性は問題なかった。糸物性について表４に示す。
【０１２３】
実施例２６〜２８
グリコール酸に０．１重量％のトリフェニルホスファイトと、０．０１重量％の３酸化アンチモンを加え、窒素ガス雰囲気下、２００℃で約１．５時間加熱して、脱水した。次いで、４５分かけて撹拌しながら０．１〜０．６ｋＰａにまで減圧しつつ２２０℃まで昇温した。２２０℃に到達したあとは、できるだけ減圧度を上げて１０時間継続した。その間、ポリマーが固化すると２４５℃まで昇温して溶融した。得られたポリマーは一旦冷却・粉砕したのち、加熱して再溶融し、真空下で攪拌しながら２２０℃で２４時間加熱処理して残存グリコリドを除去し、ポリグリコール酸（以後、ＰＧＡ）を得た。そして実施例２と同様の方法で導電剤含有ＰＧＡを調製するにあたり、２５０℃で混練した以外は同じ装置で同じＦＣＢ種、ＦＣＢ添加量（２０重量％）など同様のものを採用して、溶融粘度１６２５［Ｐａ・秒］（測定温度２５０℃、１２．１６ｓｅｃ−１）のＰＧＡとＦＣＢとの樹脂組成物（以下ＰＧＡ−ＦＣＢ）のペレットを得た。ペレットにしなかった樹脂組成物のガットについて（平均）比抵抗値を測定したところ１０２．３１［Ω・ｃｍ］であった。
そして比較例３と同様の複合紡糸を行う際に、該ＰＧＡ−ＦＣＢを島成分に用いて、実施例２６，２７は紡糸温度２６０℃、実施例２８は紡糸温度２７０℃とし、海成分や複合比率をそれぞれ表４の通りとした以外は比較例３と同様の製糸条件にて、紡糸工程においては同一吐出量（単位時間あたりに同一の容積量［ｃｃ／分］）となるようにして、また、延伸条件に関しては、実施例１と同様の条件（延伸のローラー速度やローラーの温度）にして繊維を得た。脂肪族ポリエステルの種類が変わっても製糸性や導電性、高温耐熱性は問題なかった。糸物性について表４に示す。
【０１２４】
【表４】
2008031567.tif 000006
【０１２５】
実施例２９
実施例１〜２８において得られた繊維を用いて、それぞれ平均繊維長が０．５，１．０，２．０ｍｍの長さの短繊維に切断したのち、日産化学工業株式会社製コロイダルシリカ「スノーテックスＯＳ（登録商標）」で処理したのち、東レ株式会社製ポリエステルフィルム「ルミラー（登録商標）ＱＴ３３（厚さ１００μｍ）」に大日本インキ化学工業株式会社製アクリル酸エステル系接着剤ＤＩＣＮＡＬ  Ｋ−１５００（Ｋ−１５００の１００重量％に対し、増粘剤としてＤＩＣＮＡＬ  ＶＳ−２０を２重量％使用；以下「接着剤Ａ」と称することがある）を約１００μｍの厚さでフィルムの片面に塗布し、接着剤を塗布したフィルムの片面に電気植毛加工を施し、植毛体を作製した。植毛性（植毛の成功の度合い）については、ほぼ直立している（２重丸）、寝ている繊維が少し見られる（○）、半数程度繊維が寝ている（△）、直立しているものが少ない（×）と視覚的に判断して評価したところ、いずれも２重丸と優れていた。
また、実施例１〜２８において得られた繊維それぞれを用いて撚糸加工を施したのち、パイル織物を作製した後起毛処理したものをそれぞれ作製し、前記同様接着剤Ａを用いて前述のポリエステルフィルムに接着して、それぞれ布帛複合体を作製した。起毛性は全て優れていた。
【０１２６】
実施例３０
実施例６，１２，１３，１４，２２で作製した繊維を経糸および緯糸に用いて織り密度１５０本／インチで織物を作製し、長さ２０ｃｍ、幅５ｃｍとなるように両端に電極を設けた長さ２０ｃｍの布帛物体を配線物と見なし、その両電極に１００Ｖの電圧をかけたところ、それぞれ１．１℃／分，１．９℃／分，３．６℃／分，５．１℃／分，０．９℃／分の昇温速度で温度が上昇する発熱体となった。
【０１２７】
実施例３１
実施例１〜２８において得られた繊維を用いて平均繊維長が２ｍｍの短繊維を作製して、実施例２９の接着剤Ａを用いて、ＳＵＳ３０４からなる金属棒状物体ＡおよびＳＵＳ３０４からなるウレタン製中間層（厚さ１．５ｍｍで金属棒端部２ｃｍを残して覆った物）を設けた金属棒状物体Ｂにそれぞれ電気植毛加工を施して（金属棒状物体Ｂには中間層部分のみに施して）、未接着短繊維を各々棒状物体から掃きとった後、ブラシローラーを得た（Ａ１〜Ａ２８，Ｂ１〜Ｂ２８）。また、実施例１〜４，７〜１０，１５，１６，１８，１９，２３，２５〜２７を用いて実施例２９と同様に撚糸加工したものを用いてパイル織物を作製して、パイルを起毛させて、更に該起毛したパイル織物を１ｃｍ幅のスリット状にしたものを前述の金属棒状物体Ａに巻き付けて、ブラシローラー（Ｃ１〜Ｃ４，Ｃ７〜Ｃ１０，Ｃ１５，Ｃ１６，Ｃ１８，Ｃ１９，Ｃ２３，Ｃ２５〜Ｃ２７）を得た。
【０１２８】
実施例３２
実施例３１において得られたブラシローラーのうち、Ｃ１，Ｃ２，Ｃ３，Ｃ７〜Ｃ１０，Ｃ１５，Ｃ１８，Ｃ２５は清掃装置にそれぞれ組み込んで配設したモノクロレーザープリンターを長時間連続印刷（１分間あたり１０枚印刷・排出）を行い、プリンター中の湿度変化と共に印刷性を確認したところ、印刷開始１０００枚程度でプリンター中の湿度は初期の６５％から３１％まで低下し、さらに１００００枚程度印刷した時点では２５％まで低下したものの、印刷枚数が２００００枚を越えた時点であっても印刷の鮮明性、トナー清掃性などは全て優れていた。また、ブラシローラーのうちＣ４，Ｃ１６，Ｃ１９，Ｃ２３，Ｃ２６，Ｃ２７については帯電装置にそれぞれ組み込んで同様に検討したところ、すべて印刷枚数が３００００枚を越えた時点であっても印刷の鮮明性が優れていた。
【０１２９】
実施例３３
実施例１，４〜６，１１〜１４，１６，１７，１９，２０，２２において得られたそれぞれの繊維を用いて、経糸および緯糸全てにこれら繊維を用いて（１つのＹシャツには１種類の繊維を経糸および緯糸に用いた）Ｙシャツを作製し、無作為に選んだ男性１０名のモニター着衣テストを行ったところ、Ｙシャツ全てにおいて、全員が「着衣すると冷たく感じる（接触冷感がある）」と回答し、特に実施例１２，１３，１４，２２で得られた繊維からなるＹシャツについては、全員が「着衣すると非常に冷たく感じる（接触冷感を強く感じる）」と回答した。
【０１３０】
実施例３４
実施例１，４〜６，１１〜１４，１６，１７，１９，２０，２２で得た繊維を用いて、これら繊維が１０重量％含まれるナイロン６から主として形成されるカーペット（大きさ１ｍ×１ｍ）を作製し、その上で導電加工等を施していない合成皮革からなる革靴を履いて２３℃湿度５５％の雰囲気下で足踏みを１００回行った後、カーペットの上に乗ったまま金属製のドアノブに触れる実験を行ったところ、静電気の放電は起こらなかった。
【図面の簡単な説明】
【０１３１】
【図１】本発明の実施例１〜２０および比較例３〜６により得られる繊維の横断面図である。
【図２】本発明の実施例２１，２３，２６，２７により得られる繊維の横断面図である。
【図３】本発明の実施例２２，２４，２８により得られる繊維の横断面図である。
【符号の説明】
【０１３２】
１：導電剤を含有する脂肪族ポリエステル
２：芳香族ポリエステル
【図１】
2008031567.tif 000007
【図２】
2008031567.tif 000008
【図３】
2008031567.tif 000009